(57)【要約】【課題】実行指示を送信する処理装置の有無を正しく認識し、何らかの理由で実行指示を送信できない場合であっても、適切な処理を実行する。【解決手段】情報機器部（１２）が実行指示を主制御部（２１）に送信可能であるか否かを判定し、送信可能と判定されたとき、主制御部（２１）を、実行指示を受信したとき処理を実行する状態とし、送信不可能と判定されたとき、主制御部（２１）を、実行指示を受信することなく処理を実行する状態とする処理実行判定部（４１）を備える。【選択図】図１
2015192408.tif 000002
【特許請求の範囲】
【請求項１】
ユーザによる入力操作に基づく処理を実行するための実行指示を受信して処理を実行する第１の処理装置と、上記実行指示を上記第１の処理装置に送信する第２の処理装置と、を備える電子機器であって、
上記第１の処理装置は、
上記第２の処理装置が上記実行指示を上記第１の処理装置に送信可能であるか否かを判定する送信判定手段と、
送信可能と判定されたとき、上記第１の処理装置を、上記実行指示を受信したとき処理を実行する状態とする一方、送信不可能と判定されたとき、上記第１の処理装置を、上記実行指示を受信することなく処理を実行する状態とする状態制御手段と、を備えることを特徴とする電子機器。
【請求項２】
上記第１の処理装置は、
自装置が上記実行指示を受信することなく処理を実行する状態であることを示す操作主体設定を記憶する記憶部をさらに備え、
上記送信判定手段は、上記操作主体設定が有効でないとき、送信可能であると判定する一方、上記操作主体設定が有効であるとき、送信不可能であると判定することを特徴とする請求項１に記載の電子機器。
【請求項３】
上記送信判定手段は、上記操作主体設定に基づく判定に先だって、上記第１の処理装置と上記第２の処理装置との通電を検知し、上記通電を検知できなかったとき、送信不可能であると判定することを特徴とする請求項２に記載の電子機器。
【請求項４】
上記第２の処理装置は、
上記操作主体設定を変更させるための設定変更情報を上記第１の処理装置に送信する送信手段を備え、
上記第１の処理装置は、
上記設定変更情報を受信したとき、上記操作主体設定を変更する設定変更手段をさらに備えることを特徴とする請求項２または３に記載の電子機器。
【請求項５】
上記処理を開始するための実行情報を上記第１の処理装置および上記第２の処理装置に送信する第３の処理装置をさらに備え、
上記送信判定手段は、上記第１の処理装置が上記実行情報を受信したとき、上記第２の処理装置が上記実行指示を上記第１の処理装置に送信可能であるか否かを判定することを特徴とする請求項１から４のいずれか１項に記載の電子機器。
【発明の詳細な説明】
【技術分野】
【０００１】
本発明は、ユーザによる入力操作に基づいて処理を実行する電子機器に関する。
【背景技術】
【０００２】
近年、内部に複数の処理装置を備える電子機器が増加している。このような電子機器の中には、特定の処理を実行するための入力操作を受け付けると、複数の処理装置のうちの１つの処理装置が、他の処理装置に対して当該処理を実行するための実行指示を送信する、いわゆる親機となり、他の処理装置（いわゆる子機）は、親機からの実行指示を受信して処理を実行するものがある。
【先行技術文献】
【特許文献】
【０００３】
【特許文献１】実開平５−７５８２５号公報（１９９３年１０月１５日公開）
【発明の概要】
【発明が解決しようとする課題】
【０００４】
上述したような電子機器の場合、子機は、親機が存在するか否かを正しく認識する必要がある。つまり、親機が存在するか否かを正しく認識できない場合、子機は、送信されない実行指示を待つこととなり、処理が実行されない、または、処理の実行が遅れることとなる。
【０００５】
ここで、上記特許文献１では、処理の実行に必要なプリント基板が装着されていないときは、エラーメッセージを出力し、必要なプリント基板が装着されていないことをユーザに通知する情報処理装置が開示されている。
【０００６】
しかしながら、上記特許文献１のような技術によって、親機が存在するか否かを特定できても、以下のような問題がある。つまり、上記特許文献１の技術では、必要なプリント基板が装着されていない場合、情報処理装置はエラーメッセージを出力するのみである。よって、ユーザの望む処理は実行されず、ユーザは出力されたエラーメッセージを確認して、子機が当該処理を実行できる状態とする（例えば、プリント基板を装着するなど）の措置を講じなければならない。
【０００７】
本発明は、上記の問題点に鑑みてなされたものであり、その目的は、実行指示を送信する処理装置の有無を正しく認識し、何らかの理由で実行指示を送信できない場合であっても、適切な処理を実行することができる電子機器を実現することにある。
【課題を解決するための手段】
【０００８】
上記の課題を解決するために、本発明の一態様に係る電子機器は、ユーザによる入力操作に基づく処理を実行するための実行指示を受信して処理を実行する第１の処理装置と、上記実行指示を上記第１の処理装置に送信する第２の処理装置と、を備える電子機器であって、上記第１の処理装置は、上記第２の処理装置が上記実行指示を上記第１の処理装置に送信可能であるか否かを判定する送信判定手段と、送信可能と判定されたとき、上記第１の処理装置を、上記実行指示を受信したとき処理を実行する状態とする一方、送信不可能と判定されたとき、上記第１の処理装置を、上記実行指示を受信することなく処理を実行する状態とする状態制御手段と、を備える。
【０００９】
また、上記の課題を解決するために、本発明の一態様に係る電子機器の制御方法は、ユーザによる入力操作に基づく処理を実行するための実行指示を受信して処理を実行する第１の処理装置と、上記実行指示を上記第１の処理装置に送信する第２の処理装置と、を備える電子機器の制御方法であって、上記第２の処理装置が上記実行指示を上記第１の処理装置に送信可能であるか否かを判定する送信判定ステップと、送信可能と判定されたとき、上記第１の処理装置を、上記実行指示を受信したとき処理を実行する状態とする一方、送信不可能と判定されたとき、上記第１の処理装置を、上記実行指示を受信することなく処理を実行する状態とする状態制御ステップと、を含む。
【発明の効果】
【００１０】
本発明の一態様によれば、実行指示を送信する処理装置の有無を正しく認識し、何らかの理由で実行指示を送信できない場合であっても、適切な処理を実行することができる電子機器を実現することができるという効果を奏する。
【図面の簡単な説明】
【００１１】
【図１】本発明の実施形態１〜３に係るテレビの要部構成の一例を示すブロック図である。
【図２】図１に示すテレビのハードウェア構成の一例を示す図である。
【図３】図１に示すテレビにおける、情報機器部の接続検出の一例を示す概略図である。
【図４】図１に示すテレビにおける、主制御部の起動処理の流れの一例を示すフローチャートである。
【図５】図１に示すテレビにおける、情報機器部の起動処理の流れの一例を示すフローチャートである。
【図６】図１に示すテレビにおける、情報機器部が接続されている場合の起動処理（通常起動）の流れの一例を示すシーケンス図である。
【図７】図１に示すテレビにおける、情報機器部が接続されていない場合の起動処理（通常起動）の流れの一例を示すシーケンス図である。
【図８】（ａ）は、情報機器部が接続されている場合に、図１に示すテレビが起動された後に表示される画面の一例を示す図であり、（ｂ）は、情報機器部が接続されていない場合に、図１に示すテレビが起動された後に表示される画面の一例を示す図である。
【図９】図１に示すテレビにおける、主制御部の終了処理の流れの一例を示すフローチャートである。
【図１０】図１に示すテレビにおける、情報機器部の終了処理の流れの一例を示すフローチャートである。
【図１１】図１に示すテレビにおける、情報機器部が接続されている場合の終了処理の流れの一例を示すシーケンス図である。
【図１２】図１に示すテレビにおける、情報機器部が接続されていない場合の終了処理の流れの一例を示すシーケンス図である。
【図１３】図１に示すテレビにおける、主制御部の終了処理の流れの別の例を示すフローチャートである。
【図１４】図１に示すテレビにおける、情報機器部の終了処理の流れの一例を示すフローチャートであり、図１０の結合子ＢおよびＣ以降の処理の流れの一例を示すフローチャートである。
【図１５】図１に示すテレビにおける、情報機器部が接続されている場合の終了処理の流れの別の例を示すシーケンス図である。
【図１６】図１に示すテレビにおける、主制御部の終了処理の流れの一例を示すフローチャートであり、図９の結合子Ａ以降の処理の流れの一例を示すフローチャートである。
【図１７】図１に示すテレビにおける、情報機器部の終了処理の流れの一例を示すフローチャートであり、図１０の結合子Ｄ以降の処理の流れの一例を示すフローチャートである。
【図１８】図１に示すテレビにおける、情報機器部が接続されている場合に、情報機器部に対する電力供給が停止し、かつ、主制御部における終了処理の実行中に、テレビを起動するための起動操作が実行された後の処理の流れの一例を示すシーケンス図である。
【図１９】図１に示すテレビにおける、テレビ画面と設定画面の切り替えを示す図である。
【図２０】図１に示すテレビにおける、情報機器部が接続されている場合の設定画面表示処理の流れの一例を示すシーケンス図である。
【図２１】図１に示すテレビにおける、情報機器部が接続されている場合の設定処理および設定終了処理の流れの一例を示すシーケンス図である。
【図２２】図１に示すテレビにおける、情報機器部が接続されていない場合の設定画面表示処理、設定処理および設定終了処理の流れの一例を示すシーケンス図である。
【発明を実施するための形態】
【００１２】
〔実施形態の概要〕
まず、以下に説明する実施形態１〜５の概要について説明する。複数の処理装置を備える電子機器において、ある処理装置（いわゆる親機）から別の処理装置（いわゆる子機）に対して所定処理を実行させるための実行指示を送信することで、子機が所定処理を実行する構成の電子機器がある。ここで、子機は、親機からの実行指示を待って処理を実行しようとするため、親機が接続されていない、または、接続されている親機が故障しているなどの理由で、親機からの実行指示が送信されない場合、子機は処理を実行できないという問題が起こる。
【００１３】
そこで、実施形態１〜５のテレビ１は、親機が実行指示を子機に送信可能であるか否かを判定し、送信可能と判定されたとき、子機を、上記実行指示を受信したとき処理を実行する状態とし、送信不可能と判定されたとき、子機を、上記実行指示を受信することなく処理を実行する状態とする。
【００１４】
これにより、子機は、親機が実行指示を送信不可能であるとき、自装置を、実行指示を受信することなく処理を実行する状態とするので、子機は、親機が実行指示を送信できない状態を正しく認識して、処理を実行することができる。
【００１５】
以下、実施形態１〜５を詳細に説明する。なお、以下の実施形態１〜５においては、上述した子機として、テレビ機能（テレビジョン放送信号を受信して処理する機能など）を有する主制御部を備え、親機として、拡張機能（パソコン、インターネット、通信などの機能）を有する情報機器部を備えるテレビ１について説明する。しかしながら、本発明は上記のテレビ１に限定されず、ユーザによる入力操作に基づく処理を実行するための実行指示を受信して処理を実行する第１の処理装置と、上記実行指示を上記第１の処理装置に送信する第２の処理装置とを備える電子機器であれば、本発明を適用可能である。
【００１６】
〔実施形態１〕
本発明の一実施形態について、図１〜図８に基づいて説明すれば以下のとおりである。
【００１７】
（テレビ１のハードウェア構成）
まず、図２を参照して、テレビ１（電子機器）のハードウェア構成について説明する。図２は、テレビ１のハードウェア構成を示すブロック図である。
【００１８】
図２に示すように、テレビ１は、テレビ機能部１１、情報機器部１２（第２の処理装置）、入力部１３、電源部１４、チューナ部１５、表示部１６、タッチ入力部１７、および接続部１８を備えている。なお、テレビ機能部１１は、主制御部２１（第１の処理装置）、副制御部２２（第３の処理装置）、および電力供給部２３を備えている。また、表示部１６およびタッチ入力部１７は、一体となってタッチパネルを構成している。
【００１９】
タッチ入力部１７が検出したタッチ操作に係る入力信号は、情報機器部１２によって取得され、情報機器部１２において、その入力信号に応じた処理が実行される。その結果、テレビ機能部１１において、表示部１６に表示される映像の変更、スピーカ（不図示）から出力される音声の変更などの処理を実行する必要がある場合には、情報機器部１２が、主制御部２１に対して指示（実行指示）を送信する。例えば、主制御部２１は、情報機器部１２からの実行指示に従って、情報機器部１２が生成した画面を表示部１６に出力する。なお、主制御部２１は、テレビジョン放送信号を処理して得られた映像信号を含むテレビ画面と、情報機器部１２が生成した画面とを合成し、両画面を混在させて表示部１６に出力することも可能である。
【００２０】
すなわち、本実施形態では、テレビ機能部１１の主制御部２１は、情報機器部１２からの実行指示によって制御される構成である。
【００２１】
主制御部２１は、テレビ１のテレビ機能を実現するものである。具体的には、チューナ部１５を制御することでテレビジョン放送信号を受信して、表示部１６に出力するための映像信号およびスピーカ（不図示）に出力するための音声信号を処理する。
【００２２】
主制御部２１は、テレビ機能用のＯＳプログラムなどの各種プログラムを実行するためのＣＰＵと、記憶部とを含んでおり、さらに、上述の信号処理に必要な各種回路を含んでいる。
【００２３】
副制御部２２は、入力部１３からの入力信号を特定し、特定した入力信号に基づいて、主制御部２１および情報機器部１２が所定処理を実行するための実行情報を生成するものである。副制御部２２は、生成した実行情報を主制御部２１および情報機器部１２に送信する。
【００２４】
また、副制御部２２は、主制御部２１および情報機器部１２に対する電力供給を制御する。具体的には、入力部１３からテレビ１を起動するための入力信号を取得すると、副制御部２２は、電力供給部２３に指示して、主制御部２１および情報機器部１２に電力を供給させる。また、入力部１３からテレビ１を終了するための入力信号を取得すると、副制御部２２は、電力供給部２３に指示して、主制御部２１および情報機器部１２へ電力供給を停止させる。
【００２５】
なお、本実施形態では、副制御部２２は、テレビ機能部１１に含まれている、すなわち、主制御部２１と同じ基板上に実装されているが、この例に限定されるものではなく、例えば、主制御部２１と副制御部２２とが別の基板に実装されていてもよい。また、副制御部２２は、主制御部２１内に含まれるものであってもよい。ただし、主制御部２１内に副制御部２２が含まれる場合は、電源部１４から電力を情報機器部１２に供給するために、主制御部２１は電源部１４から電力が供給されている場合は常に起動していなければならない。よって、消費電力を低減させるためには、主制御部２１と副制御部２２とは別体であることが好ましい。
【００２６】
電力供給部２３は、電源部１４から電力を取得すると、取得した電力を副制御部２２に供給する。また、電力供給部２３は、副制御部２２からの指示を受けて、電源部１４から取得した電力を主制御部２１および情報機器部１２に供給する。また、電力供給部２３は、副制御部２２からの指示を受けて、主制御部２１および情報機器部１２への電力供給を停止する。
【００２７】
なお、本実施形態では、電力供給部２３は、テレビ機能部１１に含まれている、すなわち、主制御部２１および副制御部２２と同じ基板上に実装されているが、この例に限定されるものではなく、例えば、電力供給部２３は、主制御部２１および副制御部２２と別の基板に実装されていてもよい。
【００２８】
情報機器部１２は、テレビ１の拡張機能を実現するものであり、例えば、拡張機能用のＯＳプログラム、および、アプリケーションプログラムなどの各種プログラムを実行するためのＣＰＵと、記憶部とを含んでいる。さらに、情報機器部１２は、ＬＡＮ（Local Area Network）などのネットワークに無線または有線で接続し、インターネットを介して外部装置と通信する通信部を含む。
【００２９】
入力部１３は、ユーザが外部機器（リモコン）を介して入力した、テレビ１に対する指示を受信するためのものであり、いわゆるリモコン受光部と、テレビ１の筐体に備えられた電源ボタンなどの物理キーを含んでいる。
【００３０】
電源部１４は、電気配線から電力を取得するためにコンセントに差し込むものであり、いわゆるプラグである。なお、電源部１４は、プラグをコンセントに差し込んだ状態において、電気配線からテレビ１への電力の供給と停止とを切り替えるためのスイッチを含んでいてもよい。
【００３１】
チューナ部１５は、選局を実施し、デジタル放送波から予め指定されたチャンネルのストリームを抽出する。チューナ部１５は、主制御部２１と１つの基板上に実装されてもよいし、主制御部２１とは別の基板に実装されて、主制御部２１との間で無線通信を行う構成でもよい。
【００３２】
表示部１６は、情報機器部１２が処理した映像信号、主制御部２１が処理した映像信号、または、その両方を表示するものである。例えば、表示部１６は、ＬＣＤ（液晶ディスプレイ）などの表示装置で実現される。
【００３３】
タッチ入力部１７は、ユーザがテレビ１に対して指示を入力するためのものである。タッチ入力部１７は、指示体（指またはペンなど）の接触（接近も含む）を受け付けるタッチ面と、指示体とタッチ面との間の接触の有無、および、接触位置を検知するためのタッチセンサとで構成されている。タッチセンサは、指示体とタッチ面との接触の有無を検知できれば、どのようなセンサで実現されてもよい。例えば、タッチセンサは圧力センサ、静電容量センサ、光センサなどで実現される。
【００３４】
接続部１８は、テレビ機能部１１と情報機器部１２とを接続するためのものである。すなわち、テレビ機能部１１と情報機器部１２とは着脱可能に構成されている。例えば、ユーザはテレビ機能部１１を備えるテレビ１の筐体に情報機器部１２を接続する。テレビ機能部１１と情報機器部１２とを接続部１８を介して接続することにより、主制御部２１と情報機器部１２との間の通信が可能となる。また、副制御部２２と情報機器部１２との間の通信、および、副制御部２２から情報機器部１２への電力供給が可能となる。
【００３５】
上述したとおり、本実施形態に係るテレビ１は、情報機器部１２と主制御部２１および副制御部２２とが通信可能に接続されている。そして、情報機器部１２と主制御部２１および副制御部２２との間で、様々な信号が必要に応じて送受信される。この信号はＣＰＵ間通信によって行われる。該ＣＰＵ間通信は、以下の物には限定されないが、例えば、ＴＣＰ／ＩＰ（Transmission Control Protocol/Internet Protocol）、ＣＥＣ（Consumer Electronics Control）、ＵＡＲＴ（Universal Asynchronous Receiver Transmitter）、ＵＳＢ（Universal Serial Bus）などで実現されてもよい。
【００３６】
また、情報機器部１２によって処理された映像信号および音声信号のうち少なくとも１つは、接続部１８およびＨＤＭＩ（登録商標）（High Definition Multimedia Interface）を介して主制御部２１に送信される。すなわち、主制御部２１は、ＨＤＭＩを介して情報機器部１２から送信された映像信号および音声信号のうち少なくとも１つを出力する。なお、出力形式は上記の例に限定されない。例えば、主制御部２１は、映像信号および音声信号のうち少なくとも１つを、ＬＶＤＳ（Low Voltage Differential Signaling）の方式で出力してもよいし、音声信号をＳ／ＰＤＩＦ（Sony/Philips digital interface）の方式で出力してもよい。
【００３７】
さらに、電源部１４から供給された電力は、副制御部２２から接続部１８を介して情報機器部１２に送信される。
【００３８】
（テレビ１の要部構成）
次に、図１を参照して、テレビ１の要部構成について説明する。図１は、テレビ１の要部構成の一例を示すブロック図である。なお、上述したテレビ１のハードウェア構成で説明した部材については、ここでの説明を省略する。また、図１における細線の矢印は、情報の流れを示し、太線の矢印は電流や電力供給の流れを示すものである。
【００３９】
（副制御部２２）
副制御部２２は、実行情報生成部３１、および通電制御部３２を含む。
【００４０】
実行情報生成部３１は、主制御部２１および情報機器部１２が所定処理を実行するための実行情報を生成するものである。具体的には、実行情報生成部３１は、ユーザがリモコンまたは筐体の電源ボタンを介して行った操作、例えば、テレビ１を終了するための終了操作を特定すると、終了処理を実行するための実行情報としてキー情報の一種である終了キーを生成する。そして、生成した終了キーを後述する処理実行判定部４１、および処理実行判定部５２に送信する。
【００４１】
なお、キー情報とは、リモコンのボタン（キー）やテレビ１の筐体に設けられたボタン（キー）をユーザが押下するなどの操作が行われたときに、実行情報生成部３１が生成するコードのことである。つまり、上記終了キーは、正確には、ユーザがリモコンの電源ボタン（すなわち終了キー）を押下するなどの操作（終了操作）を行ったときに実行情報生成部３１が生成する終了キーのコード（終了キーが押下されたことを示す情報）である。なお、本明細書では、前段落にて記載したように終了キーのコードを単に「終了キー」と略記する。また、他のボタンやキーのキー情報についても同様に略記する。
【００４２】
また、実行情報生成部３１は、テレビ１を起動するための起動操作を特定すると、通電制御部３２に指示して、電力供給部２３が主制御部２１および情報機器部１２に電力を供給しているか否かを確認する。電力を供給していない場合、実行情報生成部３１は、通電制御部３２に、主制御部２１および情報機器部１２に電力の供給（通電）を開始するよう指示する（通電指示を供給する）。そして、主制御部２１および情報機器部１２と、副制御部２２との間の通信が確立して、主制御部２１および情報機器部１２のうち少なくとも１つから起動モード取得要求を受信すると、起動処理を実行するための起動モードを特定して、当該起動モードを処理実行判定部４１および処理実行判定部５２に通知する。
【００４３】
一方、電力を供給している場合、実行情報生成部３１は、主制御部２１が再起動処理を実行するための実行情報としてキー情報の一種である起動キー（起動情報）を生成して、処理実行判定部４１および処理実行判定部５２に供給する。
【００４４】
なお、キー情報は、テレビ１が起動している場合にユーザがリモコンまたは筐体の電源ボタンを介して行った操作を主制御部２１および情報機器部１２のうち少なくとも１つに実行させるための実行情報である。また、キー情報は、リモコンまたは筐体の電源ボタンを介して行った操作に基づく処理を実行させるものであれば、終了キーに限定されるものではない。例えば、ユーザによるリモコンのチャンネルボタンを押下する操作に基づくチャンネル変更処理を実行させるためのチャンネル変更キーや、音量ボタンを押下する操作に基づく音量変更処理を実行させるための音量変更キー、テレビ機能の設定を行う画面である設定画面を表示させるための設定画面表示キーなどがある。
【００４５】
また、起動モードは、通常の起動操作（例えば、リモコンの電源キーまたは筐体の電源ボタンを押下することによる起動操作）が行われた場合の通常起動モード、通常の起動操作と異なる起動操作が行われた場合の特殊起動モード、および、主制御部２１に電力が供給され、かつ、情報機器部１２に対する電力供給が停止しているときに起動操作が行われた場合、情報機器部１２に送信される終了中起動モードがある。なお、起動モードはこれらの例に限定されるものではない。
【００４６】
また、特殊起動モードとは、主制御部２１と情報機器部１２とが通電している状態であるが、主制御部２１が実行情報に基づいて処理を実行するモードである。特殊起動モードとなる状況の一例としては、テレビ機能のバージョンアップ時や、出荷前の検査において、主制御部２１と情報機器部１２とが通電している状態で、主制御部２１のみを起動させる場合（工程検査）が挙げられる。なお、特殊起動モードの具体例はこれらに限定されるものではない。
【００４７】
通電制御部３２は主制御部２１および情報機器部１２への電力供給を制御するものである。具体的には、通電制御部３２は、実行情報生成部３１からの通電指示を受けると、電力供給部２３に電力供給指示を送信する。ここで、電力供給指示とは、主制御部２１および情報機器部１２へ電力を供給するための指示である。また、通電制御部３２は、電力制御部４３および電力制御部５１から電力供給の停止を指示する通電断要求を受信すると、電力供給部２３に供給停止指示を送信するここで、供給停止指示とは、主制御部２１および情報機器部１２への電力供給を停止するための指示である。
【００４８】
（主制御部２１）
主制御部２１は、処理実行判定部４１（送信判定手段、状態制御手段、設定決定手段、設定変更手段）、処理実行部４２、電力制御部４３、および記憶部４４を含む。
【００４９】
処理実行判定部４１は、情報機器部１２が実行指示を主制御部２１に送信可能であるか否かを判定するものである。具体的には、処理実行判定部４１は、記憶部４４に記憶された第１の操作主体設定を確認して、情報機器部１２が実行指示を主制御部２１に送信可能であるか否かを判定する。
【００５０】
ここで、上記第１の操作主体設定について詳細に説明する。第１の操作主体設定とは、主制御部２１が実行情報に基づいて処理を実行するか否かを、処理実行判定部４１が特定するためのものである。第１の操作主体設定が有効であれば、主制御部２１（処理実行部４２）は、副制御部２２から供給された実行情報に基づいて処理を実行する。換言すれば、主制御部２１は情報機器部１２からの指示を受けることなく、処理を実行する。一方、操作主体設定が無効であれば、主制御部２１（処理実行部４２）は、情報機器部１２（処理実行部５３）から供給される実行指示を受信してから処理を実行する。つまり、処理実行判定部４１は、操作主体設定が有効であるか無効であるかを示すフラグを管理しており、当該フラグは記憶部４４のメモリに書き込まれる。
【００５１】
また、処理実行判定部４１は、操作主体設定が有効である場合、実行情報に基づく処理を実行するように処理実行部４２に指示する（処理実行指示を処理実行部４２に供給する）。一方、操作主体設定が無効である場合、処理実行判定部４１は、受信したキー情報を破棄する。つまり、処理実行判定部４１は処理を実行するための情報を処理実行部４２に供給しない。
【００５２】
ここで、ユーザがリモコンを操作するなどして、テレビ１に対して処理の実行を指示した場合の処理について、リモコンのチャンネルボタンが押下された場合を例に挙げて説明する。この場合、副制御部２２（実行情報生成部３１）からチャンネル変更キーが、処理実行判定部４１および情報機器部１２（後述する処理実行判定部５２）に供給される。処理実行判定部４１は、チャンネル変更キーを受けると、記憶部４４に記憶されている第１の操作主体設定を確認する。通常、情報機器部１２が接続されている場合は、第１の操作主体設定は無効になっている。処理実行判定部４１は、第１の操作主体設定が無効であることを確認すると、チャンネル変更キーを破棄する。つまり、処理実行判定部４１はチャンネルを変更するための情報を処理実行部４２に供給しない。この場合、処理実行部４２は、情報機器部１２（処理実行部５３）から送信される実行指示を受信した時点で、チャンネルを変更する。なお、処理実行判定部４１が、処理実行部４２に対して、実行指示を受信するまで待機するよう指示してもよい。
【００５３】
一方、情報機器部１２が接続されていないなど、実行指示が送信不可能である場合は、第１の操作主体設定は有効になっている。処理実行判定部４１は、第１の操作主体設定が有効であることを確認すると、処理実行指示を処理実行部４２に供給する。この場合、処理実行部４２は、処理実行指示を受信した時点で、チャンネルを変更する。
【００５４】
また、処理実行判定部４１は、第１の処理設定の有効と無効とを切り替える。具体的には、処理実行判定部４１は、まず、実行情報生成部３１からの起動モード通知（起動情報）が特殊起動モード通知であるか否かを判定する。ここで、特殊起動モード通知である場合、処理実行判定部４１は、主制御部２１と情報機器部１２との間の通信が確立しているか否かを確認する。確立している場合、処理実行判定部４１は、情報機器部１２（処理実行判定部５２）に対して、主制御部２１が実行情報に基づいて処理を実行することを通知する操作主体切替通知を送信し、第１の操作主体設定を有効にする。つまり、第１の操作主体設定が無効である場合は有効に切り替え、第１の処理設定が有効である場合は切り替えを行わない。
【００５５】
一方、受信した起動モード通知が通常起動モード通知である場合、処理実行判定部４１は、情報機器部１２と主制御部２１とが通電しているか否かをさらに判定する。この判定について、図３を参照して具体的に説明する。図３は、主制御部２１と情報機器部１２とが通電しているか否かを検知する方法を示す概略図である。
【００５６】
プルダウン抵抗６１は、情報機器部１２から電流が流れない場合に、主制御部２１と接地電位との電位差を０Ｖにするための抵抗である。プルダウン抵抗６１を介して接地することにより、静電気や電磁誘導に起因する電流の流入もなくなる。これにより、主制御部２１と接地電位との電位差を０Ｖとすることができる。
【００５７】
電流検知部６２は、情報機器部１２から流れてきた電流を検知するセンサである。電流検知部６２は、電流を検知すると、処理実行判定部４１に「Ｈｉｇｈ」の検知信号を出力する。一方、電流を検知しない場合は、処理実行判定部４１に「Ｌｏｗ」の検知信号を出力する。
【００５８】
図３の（ａ）に示すように、主制御部２１と情報機器部１２とが通電している場合、主制御部２１と情報機器部１２との間で、ＧＰＩＯ（General Purpose Input/Output）６３を介して電流が流れる（図３の太線で示す両矢印）。この電流を電流検知部６２が検知すると、処理実行判定部４１に「Ｈｉｇｈ」の検知信号を出力する。検知信号が「Ｈｉｇｈ」である場合、処理実行判定部４１は、第１の操作主体設定を無効にする。つまり、第１の操作主体設定が有効である場合は無効に切り替え、第１の処理設定が無効である場合は切り替えを行わない。
【００５９】
一方、図３の（ｂ）に示すように、主制御部２１と情報機器部１２とが通電していない場合、主制御部２１と情報機器部１２との間で電流は流れない。上述したように、プルダウン抵抗６１を介して接地することにより、静電気や電磁誘導に起因する電流の流入もなくなるため、主制御部２１と接地電位との電位差は０Ｖとなる。よって、電流検知部６２は、外部から電流が流れていないことを示す「Ｌｏｗ」の検知信号を生成し、処理実行判定部４１に出力する。検知信号が「Ｌｏｗ」である場合、処理実行判定部４１は、第１の操作主体設定を有効にする。つまり、第１の操作主体設定が有効であり場合は切り替えを行わず、第１の操作主体設定が無効である場合は有効に切り替える。
【００６０】
なお、本発明に係るテレビ１は、主制御部２１と情報機器部１２との間で通電しているか否かを検知することができればよく、検知方法は上述した例に限定されない。また、情報機器部１２も電流検知部（不図示）を備えていてもよい。情報機器部１２の電流検知部は、主制御部２１と情報機器部１２との間で、ＧＰＩＯ６３を介して電流が流れたとき、その旨を後述する処理実行判定部５２に出力する。これにより、情報機器部１２においても、主制御部２１との間で通電していることを確認することができる。
【００６１】
なお、主制御部２１は、通常の場合実行指示を受信してから処理を実行するため、起動直後においては、処理実行判定部４１は第１の操作主体設定を無効にする。
【００６２】
さらに、処理実行判定部４１は、電力供給部２３から電力を供給されることで起動処理が実行され、動作可能となると、副制御部２２との通信が確立したことを確認して、実行情報生成部３１に起動モード取得要求を送信する。そして、実行情報生成部３１から起動モード通知を受信する。
【００６３】
また、処理実行判定部４１は、電力供給部２３から電力を供給されているときに、実行情報として起動キーを送信されると、上述した主制御部２１と情報機器部１２との間の通信が確立しているか否かの確認を行わず、記憶部４４に記憶された第１の操作主体設定を確認して、情報機器部１２が実行指示を主制御部２１に送信可能であるか否かを判定する。
【００６４】
さらに、処理実行判定部４１は、実行情報としてキー情報を受信したとき、受信したキー情報が何であるかを特定する。例えば、上述した、リモコンのチャンネルボタンが押下された例の場合、処理実行判定部４１は、受信したキー情報をチャンネル変更キーであると特定する。そして、特定したキー情報が設定画面表示キーなどの主制御部２１における特有の処理であって、他方の装置から実行指示を送信できない処理を実行するための特有処理情報である場合で、かつ、第１の操作主体設定が無効である場合、受信したキー情報（特有処理情報）を破棄せずに保持する。なお、特有処理情報についての詳細は、後述する実施形態４にて詳細に説明する。
【００６５】
処理実行部４２は、主制御部２１において処理を実行するものである。具体的には、処理実行部４２は、処理実行判定部４１からの指示に基づいて処理を実行する。具体的には、処理実行指示を供給されると、処理実行部４２は実行情報に基づく処理（例えば、終了処理）を実行する。また、処理実行指示をされない場合、処理実行部４２は、情報機器部１２からの実行指示があったとき、実行指示に基づく処理を実行する。なお、処理実行部４２は、終了処理を実行した場合、当該終了処理の最後に、主制御部２１に対する電力供給を停止させるために、電力停止指示を電力制御部４３に供給する。
【００６６】
また、処理実行部４２は、タッチ入力部１７を介して入力されたタッチ操作に基づく処理を実行してもよい。例えば、タッチ入力部１７を介して表示部１６に表示する画面（情報機器部１２が生成した画面）の変更が指示された場合、処理実行部４２は、情報機器部１２から画面の変更指示を受信する。また、ＨＤＭＩを介して情報機器部１２から変更後の画面を受信する。そして、処理実行部４２は、受信した変更指示に基づいて、受信した変更後の画面を表示部１６に表示する。
【００６７】
電力制御部４３は、主制御部２１に供給される電力を制御するものである。具体的には、電力制御部４３は、処理実行部４２から電力停止指示を供給されると、通電制御部３２に通電断要求を送信する。これにより、電力供給部２３からの電力供給が停止する。
【００６８】
記憶部４４は、主制御部２１が使用する各種データを格納する記憶装置である。記憶部４４は、例えば、第１の操作主体設定が有効であるか無効であるかを示すフラグを記憶している。また、記憶部４４は、表示部１６に表示する画面を記憶していてもよい。例えば、起動処理の実行時に表示部１６に表示する起動中画面、および、終了処理の実行時に表示部１６に表示する終了中画面を記憶していてもよい。
【００６９】
ここで、起動中画面とは、ユーザに対して、テレビ１が現在起動処理を実行していることを通知するための画面であり、テレビ１が現在起動処理を実行していることを通知することができれば、その内容は特に限定されるものではない。また、終了中画面とは、ユーザに対して、テレビ１が現在終了処理を実行していることを通知するための画面であり、テレビ１が現在終了処理を実行していることを通知することができれば、その内容は特に限定されるものではない。
【００７０】
（情報機器部１２）
情報機器部１２は、電力制御部５１、処理実行判定部５２、処理実行部５３（送信手段）、入力制御部５４、記憶部５５、および通信部５６を含む。
【００７１】
電力制御部５１は、情報機器部１２に供給される電力を制御するものである。具体的には、電力制御部５１は、処理実行部５３にから電力停止指示を供給されると、通電制御部３２に通電断要求を送信する。これにより、電力供給部２３からの電力供給が停止する。
【００７２】
処理実行判定部５２は、情報機器部１２が実行指示を主制御部２１に送信可能であるか否かを判定するものである。具体的には、処理実行判定部５２は、記憶部５５に記憶された第２の操作主体設定を確認して、情報機器部１２が実行指示を主制御部２１に送信可能であるか否かを判定する。
【００７３】
ここで、上記第２の操作主体設定について詳細に説明する。第２の操作主体設定とは、情報機器部１２が実行情報に基づいて処理を実行するか否かを、処理実行判定部５２が特定するためのものである。第２の操作主体設定が有効であれば、情報機器部１２（処理実行判定部５２）は、副制御部２２から供給された実行情報に基づいて処理を実行する。換言すれば、情報機器部１２は主制御部２１からの指示を受けることなく、処理を実行する。一方、操作主体設定が無効であれば、情報機器部１２（処理実行判定部５２）は、主制御部（処理実行部４２）から供給される実行指示を受信してから処理を実行する。つまり、処理実行判定部５２は、上述した処理実行判定部４１と同様に、操作主体設定が有効であるか無効であるかを示すフラグを管理しており、当該フラグは例えば記憶部５５のメモリに書き込まれる。
【００７４】
また、処理実行判定部５２は、操作主体設定が有効である場合、実行情報に基づく処理を実行するように処理実行部５３に指示する（処理実行指示を処理実行部５３に供給する）。一方、操作主体設定が無効である場合、処理実行判定部５２は、実行情報（キー情報）を破棄する。
【００７５】
また、処理実行判定部５２は、第２の処理設定の有効と無効とを切り替える。具体的には、処理実行判定部５２は、まず、実行情報生成部３１からの起動モード通知が特殊起動モード通知であるか否かを判定する。ここで、特殊起動モード通知である場合、処理実行判定部５２は、主制御部２１と情報機器部１２との間の通信が確立しているか否かを確認する。確立している場合、処理実行判定部５２は、操作主体切替通知を受信したときに第２の操作主体設定を無効にする。つまり、第２の操作主体設定が有効である場合は無効に切り替え、第２の処理設定が無効である場合は切り替えを行わない。なお、主制御部２１と情報機器部１２との間の通信が確立していない場合は、操作主体切替通知を待つことなく、第２の操作主体設定を無効にする。
【００７６】
一方、起動モード通知が通常起動モード通知である場合、処理実行判定部５２は、第２の操作主体設定を有効にする。つまり、第２の操作主体設定が無効である場合は有効に切り替え、第２の処理設定が有効である場合は切り替えを行わない。
【００７７】
なお、情報機器部１２は、通常の場合実行情報に基づいて処理を実行するため、起動直後においては、処理実行判定部５２は第２の操作主体設定を有効にする。
【００７８】
処理実行部５３は、情報機器部１２において処理を実行するものである。具体的には、処理実行部５３は、処理実行判定部５２からの指示に基づいて処理を実行する。さらに具体的には、処理実行指示を供給されると、処理実行部５３は実行情報に基づく処理（例えば、終了処理）を実行する。また、処理実行指示を供給されない場合、処理実行部５３は、主制御部２１からの実行指示があったとき、実行指示に基づく処理を実行する。なお、処理実行部５３は、終了処理を実行した場合、当該終了処理の最後に、情報機器部１２に対する電力供給を停止させるために、電力停止指示を電力制御部５１に供給する。
【００７９】
また、処理実行部５３は、情報機器部１２を終了させる場合、情報機器部１２への電力供給を停止するシャットダウンを行うシャットダウン処理を実行するか、またはスリープ状態に移行するスリープ処理を実行するかを特定する。具体的には、処理実行部５３は、スリープ処理を実行することを示すスリープ設定が有効であるか否かを示すフラグを確認して、スリープ設定が有効の場合はスリープ処理を開始し、スリープ設定が無効の場合はシャットダウン処理を開始する。なお、当該フラグは、例えば、記憶部５５のメモリに書き込まれる。
【００８０】
入力制御部５４は、タッチ入力部１７からの検出信号に基づいて、指示体のタッチ位置（タッチ操作位置）を特定し、タッチ操作に基づく処理を特定する。そして、特定した処理を実行させるための処理実行指示を、処理実行部５３に供給する。なお、入力制御部５４は、タッチ位置の点の集合（指示体の移動の軌跡）を時系列で取得し、タッチ操作の種別を判別してもよい。タッチ操作の種別としては、シングルタップ、ダブルタップ、フリック、ドラッグアンドドロップ、ピンチイン、ピンチアウトなどの例があるが、これに限らない。
【００８１】
記憶部５５は、情報機器部１２が使用する各種データを格納する記憶装置である。記憶部５５は、例えば、第２の操作主体設定が有効であるか無効であるかを示すフラグを記憶している。また、記憶部５５は、スリープ設定が有効であるか無効であるかを示すフラグを記憶している。なお、記憶部５５に記憶されているデータは、上記の例に限定されない。
【００８２】
通信部５６は、ネットワークを介して外部装置との間で情報を送受信するものである。例えば、通信部５６は、動画投稿サイトにアクセスして、ユーザが選択した動画を再生したり、ダウンロードしたりしてもよい。
【００８３】
（テレビ１の起動処理）
次に、図４から図７を参照して、テレビ１の起動処理について詳細に説明する。図４は、主制御部２１における起動処理の流れを示すフローチャートであり、図５は、情報機器部１２における起動処理の流れを示すフローチャートであり、図６は、情報機器部１２が接続されている場合のテレビ１の起動処理を示すシーケンス図であり、図７は、情報機器部１２が接続されていない場合のテレビ１の起動処理を示すシーケンス図である。
【００８４】
（主制御部２１における起動処理の流れ）
まず、図４を参照して、主制御部２１における起動処理の流れを説明する。なお、図４に示すフローチャートは、ユーザがリモコンの電源キーまたはテレビ１の筐体に設けられた電源ボタンを押下する起動操作を実行した後の処理を示している。
【００８５】
まず、主制御部２１に対して通電が開始される（Ｓ１でＹＥＳ）と、処理実行部４２において起動処理が開始される。そして、処理実行判定部４１は、記憶部４４に記憶されている操作主体設定（第１の操作主体設定）を無効にする（Ｓ２）。つまり、処理実行判定部４１は、主制御部２１が起動されると、処理実行部４２が情報機器部１２から送信される実行指示を待って処理（例えば終了処理）を実行する状態にする。
【００８６】
次に、副制御部２２との通信が確立する（Ｓ３でＹＥＳ）と、処理実行判定部４１は、実行情報生成部３１に起動モード取得要求を送信する（Ｓ４）。起動モード取得要求に対する起動モード通知が、通常起動モード通知である場合（Ｓ５でＮＯ）、処理実行判定部４１は、主制御部２１と情報機器部１２とが通電しているか否かを判定する（Ｓ６）。具体的には、電流検知部６２から送信される検知信号が、「Ｈｉｇｈ」であるか「Ｌｏｗ」であるかを判定する。「Ｈｉｇｈ」である、すなわち、主制御部２１と情報機器部１２とが通電している場合（Ｓ６でＹＥＳ）、処理実行判定部４１は、操作主体設定を無効のまま変更しない。
【００８７】
一方、「Ｌｏｗ」である、すなわち、主制御部２１と情報機器部１２とが通電していない場合（Ｓ６でＮＯ）、処理実行判定部４１は、記憶部４４に記憶されている操作主体設定を有効にする（Ｓ７）。つまり、処理実行判定部４１は、主制御部２１と情報機器部１２とが通電していないので、処理実行部４２が実行情報（起動モード通知）に基づいて処理（例えば終了処理）を実行できる状態にする。
【００８８】
これに対して、起動モード通知が特殊起動モードである場合（Ｓ５でＹＥＳ）、処理実行判定部４１は、情報機器部１２との通信が確立しているか否かを判定する（Ｓ８）。確立している場合（Ｓ８でＹＥＳ）、処理実行判定部４１は操作主体切替通知を処理実行判定部５２に送信して（Ｓ９）、記憶部４４に記憶されている操作主体設定を有効にする（Ｓ７）。つまり、処理実行判定部４１は、特殊起動モードを通知されたので、処理実行部４２が実行情報（起動モード通知）に基づいて処理（例えば終了処理）を実行できる状態にする。
【００８９】
これに対して、情報機器部１２との通信が確立していない場合（Ｓ８でＮＯ）、処理実行判定部４１は、操作主体切替通知を送信することなく、記憶部４４に記憶されている操作主体設定を有効にする（Ｓ７）。なお、処理実行判定部４１は、操作主体設定を有効にした後で、情報機器部１２との通信が確立するか否かを一定時間監視し、確立した時点で操作主体切替通知を送信する構成であってもよい。
【００９０】
以上で主制御部２１における起動処理は終了する。起動処理が終了した時点で、テレビ１は、表示部１６に画面を表示している。ここで、処理実行部４２は、主制御部２１と情報機器部１２とが通電しているか否かに応じて、表示部１６に表示する画面を変更する。この詳細について、図８を参照して説明する。図８は、起動処理が完了した後で表示部１６に表示されている画面の一例を示す図である。
【００９１】
図８の（ａ）に示すように、主制御部２１と情報機器部１２とが通電している場合、処理実行部４２は、テレビジョン放送信号を受信して処理した結果の画面であるテレビ画面７１と、情報機器部１２から送信された拡張機能画面７２（テレビリモコンの一部のキーをＵＩ部品で実現した画面）とを表示部１６に表示可能な状態となっている。つまり、処理実行部４２は、例えば、ユーザがタッチ入力部１７を操作することによって情報機器部１２から送信される、拡張機能画面７２の表示指示を受信すると、テレビ画面７１とともに、情報機器部１２から表示を指示されたタッチ操作可能な拡張機能画面７２を表示する。
【００９２】
なお、拡張機能画面７２は、予め情報機器部１２から送信され、記憶部４４に記憶されていてもよいし、上記表示指示とともに、情報機器部１２から送信されてもよい。また、拡張機能画面７２は、図８の（ａ）の例に限定されず、例えば、電子番組表などであってもよい。
【００９３】
これに対して、図８の（ｂ）に示すように、主制御部２１と情報機器部１２とが通電していない場合、処理実行部４２は、テレビ画面７１を表示する。そして、処理実行部４２は、ユーザのリモコン操作などに応じて、チャンネルや音量の変更処理などを実行する。
【００９４】
これにより、テレビ１は、ユーザが意識的に操作を行うことなく、現在の状態（主制御部２１と情報機器部１２とが通電しているか否か）に適した動作を行う。具体的には、通電している場合は、タッチ入力部１７が使用可能となり、また、タッチ操作が可能な拡張機能画面７２を表示可能な状態となる。一方、通電していない場合は、タッチ入力部１７が使用できないため、リモコンのみによる操作を受け付ける状態となる。なお、処理実行部４２が、情報機器部１２が接続されているか否かに応じて、拡張機能画面７２を表示可能な状態となるか、または、リモコンによる操作を受け付ける状態となるかについては、起動処理時に限定されず、例えば、情報機器部１２が故障により主制御部２１との通電が不可能となった状態を処理実行部４２が検知したときに行われてもよい。また、主制御部２１と情報機器部１２とが通電している場合に、リモコン操作に応じたチャンネルや音量の変更処理などが可能であってもよい。
【００９５】
（情報機器部１２における起動処理の流れ）
続いて、図５を参照して、情報機器部１２における起動処理の流れを説明する。なお、図５に示すフローチャートは、図４と同様に、ユーザがリモコンの電源キーまたはテレビ１の筐体に設けられた電源ボタンを押下する起動操作を実行した後の処理を示している。
【００９６】
まず、情報機器部１２に対して通電が開始される（Ｓ１１でＹＥＳ）と、処理実行部５３において起動処理が開始される。そして、処理実行判定部５２は、記憶部５５に記憶されている操作主体設定（第２の操作主体設定）を有効にする（Ｓ１２）。つまり、処理実行判定部５２は、情報機器部１２が起動されると、処理実行部５３が実行情報に基づいて処理を実行する状態にする。
【００９７】
なお、処理実行判定部５２によって、情報機器部１２の処理実行判定は有効となっているが、通電開始から起動モード通知を受信するまでは、情報機器部１２は実行情報としてのキー情報を受信しても、処理を実行せず当該キー情報を破棄する。これは、情報機器部１２は、起動処理の開始から一定時間は、キー情報を受信しても処理を実行できないためである。また、たとえキー情報に基づく処理を実行できたとしても、起動モード通知を受信するまでは情報機器部１２がキー情報に基づいて処理を実行すべきか否かが不明であるため、起動モード通知を受信する前に受信したキー情報に基づいて処理を実行した場合、起動モード通知の内容に反する処理の実行となる可能性があるためである。これは、以降に記載する実施形態２および３においても同様である。
【００９８】
次に、副制御部２２との通信が確立する（Ｓ１３でＹＥＳ）と、処理実行判定部５２は、実行情報生成部３１に起動モード取得要求を送信する（Ｓ１４）。起動モード取得要求に対する起動モード通知が、特殊起動モード通知でない場合（Ｓ１５でＮＯ）、すなわち、起動モード通知が通常起動モード通知である場合、処理実行判定部５２は、主制御部２１との接続を確認する（Ｓ１９）。具体的には、処理実行判定部５２は、電流検知部（不図示）から、主制御部２１からの電流を検知した旨を出力された場合、主制御部２１との接続を確認したものとする。接続が確認できる（Ｓ１９でＹＥＳ）と、起動処理の完了を待って起動処理を終了する。なお、起動処理の完了後に、処理実行部５３は、拡張機能画面７２を処理実行部４２に送信してもよい。
【００９９】
これに対して、起動モード通知が特殊起動モード通知である場合（Ｓ１５でＹＥＳ）、処理実行判定部５２は、主制御部２１との通信が確立しているか否かを判定する（Ｓ１６）。確立している場合（Ｓ１６でＹＥＳ）、処理実行判定部５２は、操作主体切替通知を受信すると（Ｓ１７でＹＥＳ）、記憶部５５に記憶されている操作主体設定を無効にする（Ｓ１８）。つまり、処理実行判定部５２は、特殊起動モードを通知されたので、処理実行部５３が主制御部２１から送信される実行指示を待って処理（例えば終了処理）を実行する状態にする。
【０１００】
一方、主制御部２１との通信が確立していない場合（Ｓ１６でＮＯ）、処理実行判定部５２は、操作主体切替通知の受信を待つことなく、記憶部５５に記憶されている操作主体設定を無効にする（Ｓ１８）。なお、処理実行判定部５２は、操作主体設定を無効にした後で、主制御部２１との通信が確立するか否かを一定時間監視し、確立した時点で操作主体設定を無効にしたことを示す設定無効通知を送信する構成であってもよい。
【０１０１】
（情報機器部１２が接続されている場合のテレビ１における起動処理）
続いて、図６を参照して、情報機器部１２が接続されている場合のテレビ１における起動処理の流れを説明する。なお、図６は、起動モード通知として、通常起動モードが送信された場合の起動処理の流れを示している図である。
【０１０２】
入力部１３に対してユーザが入力操作（起動操作）を行うと、実行情報生成部３１は、当該起動操作を特定して、まず、電力供給部２３が主制御部２１および情報機器部１２に電力を供給しているか否かを確認する。図６の例の場合、電力供給部２３は主制御部２１および情報機器部１２に電力を供給していないため、実行情報生成部３１は通電制御部３２に通電開始指示を供給する。そして、通電制御部３２は、電力供給部２３に対して電力供給指示を送信し、電力供給部２３は、主制御部２１および情報機器部１２に電力を供給する（通電開始）。主制御部２１および情報機器部１２に電力が供給されると、主制御部２１および情報機器部１２が起動して、処理実行部４２および処理実行部５３が起動処理を開始する。まず、処理実行部４２は、表示部１６に画面を表示する。具体的には、処理実行部４２はバックライト（不図示）を起動するとともに、例えば、テレビ画面７１を表示部１６に表示する。
【０１０３】
なお、処理実行部４２は、予め情報機器部１２（処理実行部５３）から受信していた、起動中画面を表示部１６に表示してもよい。また、起動中画面は、処理実行部５３から受信した後、記憶部４４に記憶しておいてもよい。
【０１０４】
さらに、処理実行部４２は、バックライトを起動したとき、テレビ１が起動しているか否かをユーザに報知するための報知部（不図示）を、テレビ１が起動していることを報知する状態としてもよい。報知部は、例えばＬＥＤであり、テレビ１が起動している、すなわちバックライトが起動することにより、表示部１６に画面を表示可能な状態となっている場合は緑色に発光し、テレビ１が起動していない、すなわちバックライトが停止しており、表示部１６に画面を表示不可能な状態である場合は赤色に発光する。なお、テレビ１に対して電源部１４から電力が供給されていない場合は、報知部は発光しない。
【０１０５】
起動処理の実行中に、副制御部２２と、主制御部２１および情報機器部１２との通信が確立すると、処理実行部４２および処理実行部５３は、処理実行判定部４１および処理実行判定部５２に指示して、実行情報生成部３１に起動モード取得要求を送信させる。実行情報生成部３１は、起動モード取得要求を受信すると、起動モード通知（図６の場合、通常起動モード通知）を処理実行判定部４１および処理実行判定部５２に送信する。
【０１０６】
なお、図６の例では、起動処理が開始してから副制御部２２との通信が確立するまでの時間は、主制御部２１の方が情報機器部１２より短い。よって、図６では、起動モード取得要求の送信および通常起動モード通知の受信が、主制御部２１の方が情報機器部１２より早く実行される。なお、起動処理が開始してから副制御部２２との通信が確立するまでの時間が、情報機器部１２の方が主制御部２１より短い場合は、起動モード取得要求の送信および通常起動モード通知の受信が、情報機器部１２の方が主制御部２１より早く実行される。
【０１０７】
通常起動モード通知を受信すると、処理実行判定部４１は、情報機器部１２の接続を確認する。具体的には、処理実行判定部４１は、主制御部２１と情報機器部１２とが通電しているか否かを判定する。さらに具体的には、電流検知部６２から供給される検知信号が、「Ｈｉｇｈ」であるか「Ｌｏｗ」であるかを判定する。図６の場合、情報機器部１２は接続されているので、電流検知部６２から送信される検知信号は「Ｈｉｇｈ」であり、当該「Ｈｉｇｈ」の検知信号を受信することで、情報機器部１２の接続を確認する。処理実行判定部４１は、「Ｈｉｇｈ」の検知信号を供給されることで、情報機器部１２が接続されている、すなわち、情報機器部１２は実行指示を主制御部２１に送信可能であると判定する。そして、処理実行部４２が起動処理を完了した時点で、主制御部２１における起動処理は完了する。
【０１０８】
一方、処理実行判定部５２は、通常起動モードを受信すると、情報機器部１２と主制御部２１との接続を確認する。具体的には、主制御部２１（処理実行判定部４１）との間の通信が確立しているか否かを確認する。なお、通信が確立していることを確認した場合、処理実行判定部５２は、通信が確立していることを確認した旨を示す通信確認通知を処理実行判定部４１に送信してもよい。そして、処理実行部５３が起動処理を完了した時点で、情報機器部１２における起動処理は完了する。
【０１０９】
（情報機器部１２が接続されていない場合のテレビ１における起動処理）
続いて、図７を参照して、情報機器部１２が接続されていない場合のテレビ１における起動処理の流れを説明する。なお、図７は、起動モード通知として、通常起動モードが送信された場合の起動処理の流れを示している図である。
【０１１０】
入力部１３に対してユーザが入力操作（起動操作）を行うと、実行情報生成部３１は、当該起動操作を特定して、まず、電力供給部２３が主制御部２１に電力を供給しているか否かを確認する。図７の例の場合、電力供給部２３は主制御部２１に電力を供給していないため、実行情報生成部３１は通電制御部３２に通電開始指示を供給する。そして、通電制御部３２は、電力供給部２３に対して電力供給指示を送信し、電力供給部２３は、主制御部２１および情報機器部１２に電力を供給する（通電開始）。電力制御部４３に電力が供給されると、主制御部２１が起動して、処理実行部４２が起動処理を開始する。まず、処理実行部４２は、表示部１６に画面を表示する。具体的には、処理実行部４２はバックライト（不図示）を起動するとともに、例えば、テレビ画面７１を表示部１６に表示する。また、報知部（ＬＥＤ、不図示）の発光色を赤色から緑色に変えてもよい。
【０１１１】
起動処理の実行中に、副制御部２２と主制御部２１との通信が確立すると、処理実行部４２は、処理実行判定部４１に指示して、実行情報生成部３１に起動モード取得要求を送信させる。実行情報生成部３１は、起動モード取得要求を受信すると、起動モード通知（図７の場合、通常起動モード通知）を処理実行判定部４１に送信する。
【０１１２】
通常起動モード通知を受信すると、処理実行判定部４１は、情報機器部１２の接続を確認する。図７の場合、情報機器部１２は接続されていないので、電流検知部６２から供給される検知信号は「Ｌｏｗ」である。処理実行判定部４１は、「Ｌｏｗ」の検知信号を供給されることで、情報機器部１２が接続されていない、すなわち、情報機器部１２は実行指示を主制御部２１に送信不可能であると判定する。そして、処理実行判定部４１は、操作主体設定を切り替える。具体的には、処理実行判定部４１は記憶部４４に記憶されている操作主体設定（第１の操作主体設定）を有効にし、処理実行部４２が実行情報に基づいて処理（例えば終了処理）を実行できる状態にする。そして、処理実行部４２が起動処理を完了した時点で、主制御部２１における起動処理は完了する。
【０１１３】
（実施形態１に係るテレビ１の作用効果）
以上のように、本実施形態に係るテレビ１の主制御部２１は、起動処理の実行中に、情報機器部１２が実行指示を主制御部２１に送信可能であるか否かを判定する。具体的には、電流検知部６２から供給される検知信号が「Ｈｉｇｈ」であるか「Ｌｏｗ」であるかを、すなわち、主制御部２１と情報機器部１２との間で通電しているか否かを、処理実行判定部４１が判定する。そして、検知信号が「Ｌｏｗ」であった場合、処理実行判定部４１は、記憶部４４に記憶されている操作主体設定（第１の操作主体設定）を有効にし、処理実行部４２が実行情報（起動モード通知）に基づいて処理（例えば終了処理）を実行できる状態にする。
【０１１４】
これにより、通常の場合、情報機器部１２からの実行指示を待って処理を実行する処理実行部４２は、実行情報生成部３１から受信した実行情報に基づいて処理を実行することができるようになる。よって、主制御部２１は、情報機器部１２が実行指示を送信できない場合であっても、処理を実行することができるようになる。
【０１１５】
また、主制御部２１は、主制御部２１と情報機器部１２とが通電しているか否かに応じて、実行可能な動作を変更する。例えば、主制御部２１と情報機器部１２とが通電している場合は、タッチ入力部１７が使用可能となり、また、タッチ操作が可能な拡張機能画面７２を表示可能な状態となる。一方、通電していない場合は、タッチ入力部１７が使用できないため、リモコンのみによる操作を受け付ける状態となる。
【０１１６】
これにより、テレビ１は、ユーザが意識的に操作を行うことなく、現在の状態（主制御部２１と情報機器部１２とが通電しているか否か）に適した動作を行うことができる。なお、主制御部２１と情報機器部１２とが通電している場合に、リモコン操作に応じたチャンネルや音量の変更処理などが可能であってもよい。
【０１１７】
〔実施形態２〕
本発明の他の実施形態について、図９〜図１２に基づいて説明すれば、以下のとおりである。なお、説明の便宜上、前記実施形態にて説明した部材と同じ機能を有する部材については、同じ符号を付記し、その説明を省略する。
【０１１８】
本実施形態では、テレビ１の終了処理について詳細に説明する。なお、テレビ１の終了処理とは、テレビ１が起動している状態で、ユーザがリモコンの電源キーまたはテレビ１の筐体に設けられた電源ボタンを押下する終了操作を実行した後の処理を示す。また、本実施形態では、テレビ１の終了処理において、主制御部２１および情報機器部１２への電力供給を停止するシャットダウンを行うシャットダウン処理を実行する例について説明する。
【０１１９】
図９は、主制御部２１における終了処理の流れを示すフローチャートであり、図１０は、情報機器部１２における終了処理の流れを示すフローチャートであり、図１１は、情報機器部１２が接続されている場合のテレビ１の終了処理を示すシーケンス図であり、図１２は、情報機器部１２が接続されていない場合のテレビ１の終了処理を示すシーケンス図である。
【０１２０】
（主制御部２１における終了処理の流れ）
まず、図９を参照して、主制御部２１における終了処理の流れを説明する。なお、図９に示すフローチャートは、ユーザがリモコンの電源キーまたはテレビ１の筐体に設けられた電源ボタンを押下する終了操作を実行した後の処理を示している。
【０１２１】
まず、処理実行判定部４１が、主制御部２１が終了処理を実行するための実行情報である終了キーを受信すると（Ｓ２１でＹＥＳ）、処理実行判定部４１は、主制御部２１と情報機器部１２とが通電しているか否かを判定する（Ｓ２２）。具体的には、電流検知部６２から供給される検知信号が、「Ｈｉｇｈ」であるか「Ｌｏｗ」であるかを判定する。
【０１２２】
検知信号が「Ｌｏｗ」である、すなわち、主制御部２１と情報機器部１２とが通電していない場合（Ｓ２２でＮＯ）、処理実行判定部４１は、操作主体設定（第１の操作主体設定）が有効であることを確認して、処理実行部４２にシャットダウン処理の実行を指示する。処理実行部４２は、シャットダウン処理の実行を指示されると、バックライト（不図示）を停止させて、画面表示をＯＦＦ、すなわち、表示部１６における画面表示を停止する（Ｓ２９）。このとき、報知部（ＬＥＤ、不図示）の発光色を緑色から赤色に変えてもよい。そして、処理実行判定部４１が、主制御部２１が再起動処理を実行するための実行情報である起動キーを受信しなかった場合（Ｓ３０でＮＯ）、処理実行部４２は、シャットダウン処理を終了させるため、すなわち、主制御部２１に対する電力供給を停止させるために、電力停止指示を電力制御部４３に供給する。そして、電力制御部４３は、通電制御部３２に通電断要求を送信する（Ｓ３１）。これにより、通電制御部３２は電力供給部２３に指示して、主制御部２１への電力供給を停止させる。以上で、主制御部２１の終了処理は完了する。
【０１２３】
また、処理実行判定部４１は、終了キーを受信したときに、主制御部２１と情報機器部１２とが通電しているか否かの判定を省略してもよい。これは、テレビ１の起動時に既に主制御部２１と情報機器部１２とが通電しているか否かの判定を行っているためである。ただし、情報機器部１２が故障するなどして、起動時に行った判定の後に、主制御部２１と情報機器部１２とが通電していない状態になることが考えられるため、終了キーを受信したときに、主制御部２１と情報機器部１２とが通電しているか否かの判定を行うことが好ましい。
【０１２４】
また、シャットダウン処理の実行中に、処理実行判定部４１が、主制御部２１が実行情報生成部３１から起動キーを受信した場合（Ｓ２９でＹＥＳ）の処理の流れについては後述する。
【０１２５】
これに対して、検知信号が「Ｈｉｇｈ」である、すなわち、主制御部２１と情報機器部１２とが通電している場合（Ｓ２２でＹＥＳ）、処理実行判定部４１は、操作主体設定（第１の操作主体設定）が有効であるか否かを確認する（Ｓ２３、送信判定ステップ）。有効である場合（Ｓ２３でＹＥＳ）、処理実行判定部４１は、処理実行部４２にシャットダウン処理の実行を指示するための処理実行指示を供給する（Ｓ３２、状態制御ステップ）。
【０１２６】
処理実行部４２は、処理実行指示を供給されると、シャットダウン処理を開始する。そして、処理実行部４２は、ＯＦＦ要求を情報機器部１２（処理実行部５３）に送信する（Ｓ３３）。以降のステップＳ３１からステップＳ３３までの処理の流れは、上述しているためその説明を省略する。なお、ＯＦＦ要求とは、送信先の装置（この場合、情報機器部１２）にシャットダウン処理を実行させるための実行指示である。
【０１２７】
一方、操作主体設定が無効である場合（Ｓ２３でＮＯ）、処理実行判定部４１は、終了キーを破棄する（Ｓ２４、状態制御ステップ）。具体的には、処理実行判定部４１は、処理実行部４２に対して、情報機器部１２からの指示を受信して処理を実行するよう指示する。
【０１２８】
次に、処理実行部４２は、情報機器部１２（処理実行部５３）から操作主体切替要求（設定変更情報）を受信すると（Ｓ２５でＹＥＳ）、処理実行部５３に対して操作主体受領通知を送信する（Ｓ２６）。そして、処理実行部４２は、処理実行判定部４１に指示して、記憶部４４に記憶されている操作主体設定（第１の操作主体設定）を有効にさせる（Ｓ２７）。ここで、操作主体切替要求とは、情報機器部１２の処理実行判定部５２が操作主体設定（第２の操作主体設定）を無効にしたことを通知し、主制御部２１の処理実行判定部４１に操作主体設定（第１の操作主体設定）を有効にさせるための情報である。また、操作主体受領通知とは、操作主体切替要求を受信したこと、および、主制御部２１の処理実行判定部４１が操作主体設定（第１の操作主体設定）を有効にすることを通知する情報である。
【０１２９】
次に、処理実行部４２は、情報機器部１２（処理実行部５３）からＯＦＦ要求を受信すると（Ｓ２８でＹＥＳ）、シャットダウン処理の実行を開始する。以降のステップＳ２９からステップＳ３１までの処理の流れは、上述しているためその説明を省略する。
【０１３０】
（情報機器部１２における終了処理の流れ）
続いて、図１０を参照して、情報機器部１２における終了処理の流れを説明する。なお、図１０に示すフローチャートは、ユーザがリモコンの電源キーまたはテレビ１の筐体に設けられた電源ボタンを押下する終了操作を実行した後の処理を示している。
【０１３１】
まず、処理実行判定部５２が、情報機器部１２が終了処理を実行するための実行情報である終了キーを受信すると（Ｓ４１でＹＥＳ）、処理実行判定部５２は、操作主体設定（第２の操作主体設定）が有効であるか否かを確認する（Ｓ４２）。操作主体設定が無効である場合（Ｓ４２でＮＯ）、処理実行判定部５２は、終了キーを破棄する（Ｓ５１）。具体的には、処理実行判定部５２は、処理実行部５３に対して、主制御部２１からの指示を受信して処理を実行するよう指示する。
【０１３２】
処理実行部５３は、ＯＦＦ要求を受信すると（Ｓ５２でＹＥＳ）、スリープ設定が有効であるかを確認する（Ｓ５３）。スリープ設定が無効である場合（Ｓ５３でＮＯ）、処理実行部５３はシャットダウン処理を開始する。次に、処理実行部５３は、シャットダウン処理を終了させるため、すなわち、情報機器部１２に対する電力供給を停止させるために、電力停止指示を電力制御部５１に供給する。そして、電力制御部５１は、通電制御部３２に通電断要求を送信する（Ｓ４９）。これにより、通電制御部３２が電力供給部２３に指示して、情報機器部１２への電力供給を停止させる。以上で、情報機器部１２のシャットダウン処理は終了する。なお、スリープ設定が有効である場合（Ｓ５３でＹＥＳ）、および、情報機器部１２への電力供給が停止され、かつ、主制御部２１が終了処理を実行しているときに通電制御部３２から電力制御部５１への通電が開始された場合（Ｓ５０でＹＥＳ）の処理については後述する。
【０１３３】
一方、操作主体設定が有効である場合（Ｓ４２でＹＥＳ）、処理実行判定部５２は、処理実行部５３に対して、情報機器部１２を終了させるための処理実行指示を供給する（Ｓ４３）。処理実行部５３は、処理実行指示を供給されると、スリープ設定が有効であるかを確認する（Ｓ４４）。スリープ設定が無効である場合（Ｓ４４でＮＯ）、処理実行部５３はシャットダウン処理を開始する。なお、スリープ設定が有効である場合（Ｓ４４でＹＥＳ）の処理の流れについては後述する。
【０１３４】
次に、処理実行部５３は、実行情報生成部３１から送信されるキー情報に基づく処理の実行が不可能となると、処理実行判定部５２に指示して、記憶部５５に記憶されている操作主体設定（第２の操作主体設定）を無効にさせる（Ｓ４５）。そして、処理実行部５３は、処理実行部４２に対して、操作主体設定（第１の操作主体設定）を有効にさせるために、操作主体切替要求を主制御部２１（処理実行部４２）に送信する（Ｓ４６）。
【０１３５】
次に、処理実行部５３は、操作主体受領通知を処理実行部４２から受信すると（Ｓ４７でＹＥＳ）、主制御部２１にシャットダウン処理を実行させるために、処理実行部４２にＯＦＦ要求を送信する（Ｓ４８）。以降のステップＳ４９およびステップＳ５０における処理の流れは、上述しているためその説明を省略する。
【０１３６】
なお、操作主体切替要求が、ＯＦＦ要求にパラメータとして含まれている構成であってもよい。これにより、情報機器部１２は、ＯＦＦ要求を送信するだけで、主制御部２１に操作主体設定の切り替えとシャットダウン処理の開始を指示することができる。また、操作主体切替要求がＯＦＦ要求にパラメータとして含まれている構成の場合、主制御部２１は、ＯＦＦ要求を受信した後で操作主体受領通知を送信する。
【０１３７】
（情報機器部１２が接続されている場合のテレビ１における終了処理）
続いて、図１１を参照して、情報機器部１２が接続されている場合のテレビ１における終了処理の流れを説明する。なお、図１１は、通常起動された主制御部２１および情報機器部１２において終了処理を実行する場合のシーケンス図である。
【０１３８】
入力部１３に対してユーザが入力操作（終了操作）を行うと、実行情報生成部３１は、当該終了操作を特定して、処理実行判定部４１および処理実行判定部５２に実行情報として終了キーを送信する。終了キーを受信した処理実行判定部４１は、情報機器部１２が接続しているか否かを確認する。具体的には、処理実行判定部４１は、主制御部２１と情報機器部１２とが通電しているか否かを判定する。さらに具体的には、電流検知部６２から供給される検知信号が、「Ｈｉｇｈ」であるか「Ｌｏｗ」であるかを判定する。図１１の場合、情報機器部１２は接続されているので、電流検知部６２から供給される検知信号は「Ｈｉｇｈ」であり、当該「Ｈｉｇｈ」の検知信号を受信することで、情報機器部１２の接続を確認する。
【０１３９】
続いて、処理実行判定部４１および処理実行判定部５２は、操作主体設定が有効であるか否かを判定する。図１１の例の場合、主制御部２１および情報機器部１２が通常起動され、かつ、情報機器部１２が主制御部２１と接続されているので、主制御部２１における操作主体設定（第１の操作主体設定）は無効であり、情報機器部１２における操作主体設定（第２の操作主体設定）は有効であると判定される。これにより、処理実行判定部４１は、終了キーを破棄する。
【０１４０】
一方、処理実行判定部５２は、処理実行部５３に情報機器部１２を終了させる処理の実行を指示する。処理実行部５３は、処理実行判定部５２からの指示を受けると、スリープ設定を判定する。具体的には、スリープ設定が有効であるか否かを判定する。図１１の例の場合、スリープ設定は無効であるので、処理実行部５３はシャットダウン処理を開始する。
【０１４１】
なお、このとき、処理実行部５３は、処理実行部４２に画面切替要求を送信してもよい。また、処理実行部４２は、画面切替要求を受信すると、出力する画面を例えば図８の（ａ）に示すような画面から終了中画面に切り替えてもよい。
【０１４２】
続いて、処理実行部５３は、実行情報生成部３１から送信されるキー情報に基づく処理の実行が不可能となると、処理実行判定部５２に指示して、記憶部５５に記憶されている操作主体設定（第２の操作主体設定）を有効から無効に切り替えさせる。そして、処理実行部５３は、操作主体設定を無効にしたことを通知し、主制御部２１の処理実行判定部４１に操作主体設定（第１の操作主体設定）を有効にさせるために、操作主体切替要求を処理実行部４２に送信する。処理実行部４２は、操作主体切替要求を受信すると、操作主体切替要求を受信したこと、および、操作主体設定（第１の操作主体設定）を有効にすることを通知するために、操作主体受領通知を処理実行部５３に送信する。そして、処理実行部４２は、処理実行判定部４１に指示して、記憶部４４に記憶されている操作主体設定を無効から有効に切り替えさせる。
【０１４３】
続いて、処理実行部５３は、主制御部２１にシャットダウン処理を実行させるために、処理実行部４２にＯＦＦ要求を送信する。ＯＦＦ要求を送信するタイミングは、例えば、スリープ処理の完了直前であってもよい。処理実行部４２は、ＯＦＦ要求を受信すると、シャットダウン処理を開始する。そして、処理実行部４２は、バックライト（不図示）を停止し、画面表示をＯＦＦ、すなわち、表示部１６における画面表示を停止する。このとき、報知部（ＬＥＤ、不図示）の発光色を緑色から赤色に変えてもよい。
【０１４４】
続いて、処理実行部４２および処理実行部５３はそれぞれ、シャットダウン処理の最後に、主制御部２１および情報機器部１２に対する電力供給を停止させるために、電力停止指示を電力制御部４３および電力制御部５１に供給する。そして、電力制御部４３および電力制御部５１は、通電制御部３２に通電断要求を送信する。通電断要求を受信した通電制御部３２は、電力供給部２３に指示して、主制御部２１および情報機器部１２への電力供給を停止させる。以上で、テレビ１における終了処理は完了する。
【０１４５】
（情報機器部１２が接続されていない場合のテレビ１における終了処理）
続いて、図１２を参照して、情報機器部１２が接続されていない場合のテレビ１における終了処理の流れを説明する。なお、図１２は、通常起動された主制御部２１において終了処理を実行する場合のシーケンス図である。
【０１４６】
入力部１３に対してユーザが入力操作（終了操作）を行うと、実行情報生成部３１は、当該終了操作を特定して、処理実行判定部４１に実行情報として終了キーを送信する。終了キーを受信した処理実行判定部４１は、情報機器部１２が接続しているか否かを確認する。具体的には、処理実行判定部４１は、主制御部２１と情報機器部１２とが通電しているか否かを判定する。さらに具体的には電流検知部６２から供給される検知信号が「Ｈｉｇｈ」であるか「Ｌｏｗ」であるかを判定する。図１２の場合、情報機器部１２は接続されていないので、電流検知部６２から送信される検知信号は「Ｌｏｗ」であり、処理実行判定部４１は、当該「Ｌｏｗ」の検知信号を受信することで、情報機器部１２が非接続であることを確認する。
【０１４７】
続いて、処理実行判定部４１は操作主体設定が有効であるか否かを判定する。図１２の例の場合、主制御部２１が通常起動され、かつ、情報機器部１２が主制御部２１と接続されていないので、主制御部２１における操作主体設定（第１の操作主体設定）は有効であると判定される。これにより、処理実行判定部４１は、処理実行部４２に主制御部２１を終了させる処理の実行、具体的にはシャットダウン処理の実行を指示する。
【０１４８】
処理実行部４２は、シャットダウン処理の最後に、主制御部２１に対する電力供給を停止させるために、電力停止指示を電力制御部４３に供給する。そして、電力制御部４３は、通電制御部３２に通電断要求を送信する。通電断要求を受信した通電制御部３２は、電力供給部２３に指示して、主制御部２１への電力供給を停止させる。以上で、テレビ１における終了処理は完了する。
【０１４９】
（実施形態２に係るテレビ１の作用効果）
以上のように、本実施形態に係るテレビ１の情報機器部１２は、終了処理中に、実行情報生成部３１から送信されるキー情報に基づく処理の実行が不可能となると、操作主体設定を無効にする。一方、主制御部２１は、情報機器部１２から操作主体切替要求を受信すると、操作主体設定を有効にする。これにより、情報機器部１２においてキー情報に基づく処理が不可能となった場合でも、主制御部２１において、キー情報に基づく処理を実行することができる。
【０１５０】
〔実施形態２に係る変形例〕
次に、実施形態２に係る変形例について、図１０および図１３〜図１５に基づいて説明すれば、以下のとおりである。なお、説明の便宜上、前記実施形態にて説明した部材と同じ機能を有する部材については、同じ符号を付記し、その説明を省略する。
【０１５１】
本実施形態では、テレビ１の終了処理において、主制御部２１においてはシャットダウン処理を実行し、情報機器部１２においては、スリープ状態に移行するスリープ処理を実行する例について説明する。
【０１５２】
また、図１３は、主制御部２１における終了処理の流れを示すフローチャートであり、図１４は、情報機器部１２における終了処理の流れを示すフローチャートであり、図１５は、情報機器部１２が接続されている場合のテレビ１の終了処理を示すシーケンス図である。
【０１５３】
（主制御部２１における終了処理の流れ）
まず、図１３を参照して、主制御部２１における終了処理の流れを説明する。なお、図１３に示すフローチャートは、ユーザがリモコンの電源キーまたはテレビ１の筐体に設けられた電源ボタンを押下する終了操作を実行した後の処理を示している。
【０１５４】
まず、処理実行判定部４１が、主制御部２１が終了処理を実行するための実行情報である終了キーを受信すると（Ｓ６１でＹＥＳ）、処理実行判定部４１は、主制御部２１と情報機器部１２とが通電しているか否かを判定する（Ｓ６２）。具体的には、電流検知部６２から供給される検知信号が、「Ｈｉｇｈ」であるか「Ｌｏｗ」であるかを判定する。
【０１５５】
検知信号が「Ｌｏｗ」である、すなわち、主制御部２１と情報機器部１２とが通電していない場合（Ｓ６２でＮＯ）、処理実行判定部４１は、操作主体設定（第１の操作主体設定）が有効であることを確認して、処理実行部４２にシャットダウン処理の実行を指示する。処理実行部４２は、シャットダウン処理の実行を指示されると、バックライト（不図示）を停止させて、画面表示をＯＦＦ、すなわち、表示部１６における画面表示を停止する（Ｓ６６）。このとき、報知部（ＬＥＤ、不図示）の発光色を緑色から赤色に変えてもよい。そして、処理実行部４２は、シャットダウン処理を終了させるため、すなわち、主制御部２１に対する電力供給を停止させるために、電力停止指示を電力制御部４３に供給する。そして、電力制御部４３は、通電制御部３２に通電断要求を送信する（Ｓ６７）。これにより、通電制御部３２が主制御部２１への電力供給を停止し、主制御部２１の終了処理は完了する。
【０１５６】
これに対して、検知信号が「Ｈｉｇｈ」である、すなわち、主制御部２１と情報機器部１２とが通電している場合（Ｓ６２でＹＥＳ）、処理実行判定部４１は、操作主体設定（第１の操作主体設定）が有効であるか否かを確認する（Ｓ６３）。有効である場合（Ｓ６３でＹＥＳ）、処理実行判定部４１は、処理実行部４２にシャットダウン処理の実行を指示するための処理実行指示を供給する（Ｓ６８）。
【０１５７】
処理実行部４２は、ＯＦＦ要求を情報機器部１２（処理実行部５３）に送信する（Ｓ６９）。以降のステップＳ６５からステップＳ６６までの処理の流れは、上述しているためその説明を省略する。
【０１５８】
一方、操作主体設定が無効である場合（Ｓ６３でＮＯ）、処理実行判定部４１は、終了キーを破棄する（Ｓ６４）。具体的には、処理実行判定部４１は、処理実行部４２に対して、情報機器部１２からの指示を受信して処理を実行するよう指示する。
【０１５９】
次に、処理実行部４２は、情報機器部１２（処理実行部５３）からＯＦＦ要求を受信すると（Ｓ６５でＹＥＳ）、シャットダウン処理の実行を開始する。以降のステップＳ６６からステップＳ６７までの処理の流れは、上述しているためその説明を省略する。
【０１６０】
（情報機器部１２における終了処理の流れ）
続いて、図１０および図１４を参照して、情報機器部１２における終了処理の流れを説明する。なお、実施形態２において図１０を参照して既に説明した内容については、その説明を省略する場合がある。
【０１６１】
操作主体設定が有効である場合（Ｓ４２でＹＥＳ）、処理実行判定部５２は、処理実行部５３に指示して、スリープ設定が有効であるかを確認させる（Ｓ４３）。スリープ設定が有効である場合（Ｓ４３でＹＥＳ）、処理実行部５３はスリープ処理を開始する。
【０１６２】
そして、処理実行部５３は、スリープ処理の実行中に、主制御部２１にシャットダウン処理を実行させるために、処理実行部４２にＯＦＦ要求を送信する（Ｓ７１）。最後に、スリープ処理が完了すると、処理実行部５３は情報機器部１２をスリープ状態へ移行させる（Ｓ７２）。
【０１６３】
一方で、操作主体設定が無効である場合、処理実行判定部５２は、処理実行部５３に対して、主制御部２１からの指示を受信して処理を実行するよう指示する。処理実行部５３は、ＯＦＦ要求を受信すると（Ｓ５１でＹＥＳ）、スリープ設定が有効であるかを確認する（Ｓ５２）。ここで、スリープ設定が有効である場合（Ｓ５２でＹＥＳ）、処理実行部５３はスリープ処理を開始する。そして、スリープ処理が完了すると、処理実行部５３は情報機器部１２をスリープ状態へ移行させる（Ｓ７２）。
【０１６４】
（情報機器部１２が接続されている場合のテレビ１における終了処理）
続いて、図１５を参照して、情報機器部１２が接続されている場合のテレビ１における終了処理の流れを説明する。なお、図１５は、通常起動された主制御部２１および情報機器部１２において終了処理を実行する場合のシーケンス図である。
【０１６５】
入力部１３に対してユーザが入力操作（終了操作）を行うと、実行情報生成部３１は、当該終了操作を特定して、処理実行判定部４１および処理実行判定部５２に実行情報として終了キーを送信する。終了キーを受信した処理実行判定部４１は、情報機器部１２が接続しているか否かを確認する。具体的には、処理実行判定部４１は、主制御部２１と情報機器部１２とが通電しているか否かを判定する。さらに具体的には、電流検知部６２から供給される検知信号が、「Ｈｉｇｈ」であるか「Ｌｏｗ」であるかを判定する。図１１の場合、情報機器部１２は接続されているので、電流検知部６２から供給される検知信号は「Ｈｉｇｈ」であり、当該「Ｈｉｇｈ」の検知信号を受信することで、情報機器部１２の接続を確認する。
【０１６６】
続いて、処理実行判定部４１および処理実行判定部５２は、操作主体設定が有効であるか否かを判定する。図１５の例の場合、主制御部２１および情報機器部１２が通常起動され、かつ、情報機器部１２が主制御部２１と接続されているので、主制御部２１における操作主体設定（第１の操作主体設定）は無効であり、情報機器部１２における操作主体設定（第２の操作主体設定）は有効であると判定される。これにより、処理実行判定部４１は、処理実行部４２に対して、情報機器部１２からの指示を受信して処理を実行するよう指示する。
【０１６７】
一方、処理実行判定部５２は、処理実行部５３に情報機器部１２を終了させる処理の実行を指示する。処理実行部５３は、処理実行判定部５２からの指示を受けると、スリープ設定を判定する。図１５の場合、スリープ設定は有効であるので、処理実行部５３はスリープ処理を開始する。
【０１６８】
続いて、処理実行部５３は、主制御部２１にシャットダウン処理を実行させるために、処理実行部４２にＯＦＦ要求を送信する。ＯＦＦ要求を送信するタイミングは、例えば、スリープ処理の完了直前であってもよい。処理実行部５３は、ＯＦＦ要求を受信した後、情報機器部１２をスリープ状態へ移行させる。処理実行部４２は、ＯＦＦ要求を受信すると、シャットダウン処理を開始する。そして、処理実行部４２は、バックライト（不図示）を停止し、画面表示をＯＦＦ、すなわち、表示部１６における画面表示を停止する。このとき、報知部（ＬＥＤ、不図示）の発光色を緑色から赤色に変えてもよい。
【０１６９】
続いて、処理実行部４２は、シャットダウン処理の最後に、主制御部２１に対する電力供給を停止させるために、電力停止指示を電力制御部４３に供給する。そして、電力制御部４３は、通電制御部３２に通電断要求を送信する。通電断要求を受信した通電制御部３２は、電力供給部２３に指示して、主制御部２１への電力供給を停止する。以上でテレビ１における終了処理は完了する。
【０１７０】
以上のように、情報機器部１２がスリープ処理を実行する場合、シャットダウン処理を実行する場合と異なり、通電制御部３２からの電力供給は停止されない。換言すれば、情報機器部１２は、終了処理が完了した後も、キー情報に基づく処理の実行が可能である状態である。よって、情報機器部１２がスリープ処理を実行する場合、操作主体設定（第２の操作主体設定）を無効にし、操作主体切替要求を送信して、主制御部２１の操作主体設定（第１の操作主体設定）を有効にする必要はない。
【０１７１】
なお、情報機器部１２が接続されていない場合のテレビ１の終了処理（スリープ設定が有効である場合の終了処理）は、実施形態２にて図１２を参照して説明した終了処理と同様であるため、その説明を省略する。
【０１７２】
〔実施形態３〕
本発明のさらに別の実施形態について、図９〜図１０および図１６〜図１８に基づいて説明すれば、以下のとおりである。なお、説明の便宜上、前記実施形態にて説明した部材と同じ機能を有する部材については、同じ符号を付記し、その説明を省略する。
【０１７３】
本実施形態では、テレビ１の主制御部２１がシャットダウン処理を実行しているときに、ユーザによる起動操作（ユーザがリモコンの電源キーまたはテレビ１の筐体に設けられた電源ボタンを押下する操作）が行われたときの処理（以降、終了中起動処理と称する）について詳細に説明する。
【０１７４】
図１６は、主制御部２１における終了中起動処理の流れを示すフローチャートであり、図１７は、情報機器部１２における終了中起動処理の流れを示すフローチャートであり、図１８は、情報機器部１２が接続されている場合のテレビ１の終了中起動処理の流れを示すフローチャートである。
【０１７５】
（主制御部２１における終了中起動処理の流れ）
まず、図９および図１６を参照して、主制御部２１における終了中起動処理の流れを説明する。なお、実施形態２にて図９を参照して既に説明した内容については、その説明を省略する場合がある。
【０１７６】
シャットダウン処理の実行中に、処理実行判定部４１が、主制御部２１が実行情報生成部３１から起動キーを受信した場合（Ｓ３１でＹＥＳ）、処理実行判定部４１は、操作主体設定が有効であることを確認し（Ｓ８１）、処理実行部４２に処理実行指示を供給する（Ｓ８２）。具体的には、処理実行判定部４１は、処理実行部４２に対して、起動処理（再起動処理）を実行するよう指示する。
【０１７７】
処理実行部４２は、処理実行判定部４１からの指示を受けて、再起動処理を開始する。まず、処理実行部４２は、バックライト（不図示）を起動して、画面表示をＯＮ、すなわち、表示部１６における画面表示を開始する（Ｓ８３）。例えば、処理実行部４２はテレビ画面７１を表示部１６に表示する。またこのとき、報知部（ＬＥＤ、不図示）の発光色を、赤色から緑色に変えてもよい。次に、処理実行部４２は、情報機器部１２（処理実行部５３）からキー情報処理可能通知（設定変更情報）を受信すると（Ｓ８４でＹＥＳ）、処理実行部５３に操作主体切替通知を送信する（Ｓ８５）。なお、キー情報処理可能通知とは、情報機器部１２が、キー情報に基づく処理を実行可能となったことを主制御部２１に通知するための情報である。
【０１７８】
そして、処理実行部４２は、処理実行判定部４１に指示して、記憶部４４に記憶されている操作主体設定を無効にさせる（Ｓ８６）。以上で、主制御部における終了中起動処理は完了する。
【０１７９】
（情報機器部１２における終了中起動処理の流れ）
続いて、図１０および図１７を参照して、情報機器部１２における終了中起動処理の流れを説明する。なお、実施形態２にて図１０を参照して既に説明した内容については、その説明を省略する場合がある。
【０１８０】
通電が開始されると（Ｓ５０でＹＥＳ）、処理実行判定部５２は、記憶部５５に記憶されている操作主体設定を有効にする（Ｓ９１）。また、処理実行部５３は起動処理を開始する。ただし、処理実行判定部５２は、通電開始から起動モード通知を受信するまでは、受信したキー情報を破棄する。
【０１８１】
次に、副制御部２２との通信が確立する（Ｓ９２でＹＥＳ）と、処理実行判定部５２は実行情報生成部３１に起動モード取得要求を送信する（Ｓ９３）。そして、起動モード取得要求に対する起動モード通知として、終了中起動モード通知を受信する（Ｓ９４でＹＥＳ）と、処理実行判定部５２は、記憶部５５に記憶されている操作主体設定を無効にする（Ｓ９５）。つまり、処理実行判定部５２は、終了中起動モードを通知されたので、処理実行部５３が主制御部２１から送信される実行指示を待って処理（例えば終了処理）を実行する状態にする。
【０１８２】
処理実行部５３は、起動処理を進めたことにより、キー情報を処理可能となると（Ｓ９６）、主制御部２１（処理実行部４２）にキー情報処理可能通知を送信する（Ｓ９７）。そして、処理実行部４２から操作主体切替通知を受信すると（Ｓ９８でＹＥＳ）、処理実行部５３は、処理実行判定部５２に指示して、記憶部５５に記憶されている操作主体設定を有効にさせる（Ｓ９９）。これにより、処理実行部５３は、実行情報生成部３１から送信される実行情報に基づく処理を実行可能となる。以上で、情報機器部１２における終了中起動処理は完了する。
【０１８３】
（情報機器部１２が接続されている場合のテレビ１における終了中起動処理）
続いて、図１８を参照して、情報機器部１２が接続されている場合のテレビ１における終了中起動処理の流れを説明する。なお、図１８は、実施形態２にて図１１を参照して既に説明した処理の流れ（終了処理の流れ）については記載を省略している。
【０１８４】
入力部１３に対してユーザが入力操作（起動操作）を行うと、実行情報生成部３１は、当該起動操作を特定して、まず、通電制御部３２が電力制御部４３および電力制御部５１に電力を供給しているか否かを確認する。図１８の例の場合、主制御部２１はシャットダウン処理中であるため、通電制御部３２は電力制御部４３に電力を供給している。電力の供給を確認すると、実行情報生成部３１は、処理実行判定部４１に実行情報として起動キーを送信する。起動キーを受信した処理実行判定部４１は、シャットダウン処理を中止して、操作主体設定が有効であるか否かを判定する。図１８の例の場合、終了処理において、処理実行判定部４１は操作主体設定（第１の操作主体設定）を有効にしているので、当該判定の結果は有効である。これにより、処理実行判定部４１は、処理実行部４２に起動処理（再起動処理）の実行を指示する。具体的には、処理実行部４２は、バックライト（不図示）を起動させるとともに、例えば、テレビ画面７１を表示部１６に表示する。また、報知部（ＬＥＤ、不図示）の発光色を赤色から緑色に変えてもよい。
【０１８５】
一方、図１８の例の場合、実行情報生成部３１が起動操作を特定した時点で、通電制御部３２は情報機器部１２に電力を供給していない。電力を供給していないことを確認すると、実行情報生成部３１は、通電制御部３２に、情報機器部１２に通電を開始するための通電開始指示を供給する。通電制御部３２は、通電開始指示を受けて、電力供給指示を電力供給部２３に供給する。電力供給部２３は、電力供給指示を受けて、情報機器部１２に電力を供給する（通電開始）。情報機器部１２に電力が供給されると、情報機器部１２が起動して、処理実行部５３が起動処理を開始する。
【０１８６】
起動処理の実行中に、副制御部２２と情報機器部１２との通信が確立すると、処理実行部５３は、処理実行判定部５２に指示して、実行情報生成部３１に起動モード取得要求を送信させる。実行情報生成部３１は、起動モード取得要求を受信すると、起動モード通知（図１８の場合、終了中起動モード通知）を処理実行判定部５２に送信する。
【０１８７】
終了中起動モード通知を受信すると、処理実行判定部５２は、記憶部５５に記憶されている操作主体設定（第２の操作主体設定）を無効にする。これにより、処理実行部５３が、処理実行部４２からの実行指示を待って処理（例えば終了処理）を実行する状態になる。
【０１８８】
起動処理を進めることにより、キー情報を処理可能となると、処理実行部５３はキー情報処理可能通知を処理実行部４２に送信する。キー情報処理可能通知を受信すると、処理実行部４２は、操作主体切替通知を処理実行部５３に送信する。そして、処理実行判定部４１に指示して、記憶部４４に記憶されている操作主体設定（第１の操作主体設定）を無効にする。これにより、処理実行部４２が、処理実行部５３からの実行指示を待って処理（例えば終了処理）を実行する状態になる。
【０１８９】
操作主体切替通知を受信すると、処理実行部５３は、記憶部５５に記憶されている操作主体設定（第２の操作主体設定）を有効にする。これにより、処理実行部５３が実行指示に基づいて処理（例えば終了処理）を実行できる状態になる。
【０１９０】
そして、処理実行部４２の再起動処理、および、処理実行部５３の起動処理が完了した時点で、テレビ１における終了中起動処理が完了する。
【０１９１】
なお、情報機器部１２が接続されていない場合のテレビ１における終了中起動処理については、以下のようになる。
【０１９２】
入力部１３に対してユーザが入力操作（起動操作）を行うと、実行情報生成部３１は、当該起動操作を特定して、まず、通電制御部３２が電力制御部４３に電力を供給しているか否かを確認する。この例の場合、主制御部２１はシャットダウン処理中であるため、通電制御部３２は電力制御部４３に電力を供給している。電力の供給を確認すると、実行情報生成部３１は、処理実行判定部４１に実行情報として起動キーを送信する。起動キーを受信した処理実行判定部４１は、シャットダウン処理を中止して、操作主体設定が有効であるか否かを判定する。この例の場合、情報機器部１２が接続されていないので、当該判定の結果は有効である。これにより、処理実行判定部４１は、処理実行部４２に起動処理（再起動処理）の実行を指示する。具体的には、処理実行部４２は、バックライト（不図示）を起動させるとともに、例えば、テレビ画面７１を表示部１６に表示する。また、報知部（ＬＥＤ、不図示）の発光色を赤色から緑色に変えてもよい。そして、処理実行部４２の再起動処理が完了した時点で、テレビ１における終了中起動処理が完了する。
【０１９３】
（実施形態３に係るテレビ１の作用効果）
以上のように、本実施形態に係るテレビ１の主制御部２１は、終了処理の実行中に操作主体設定（第１の操作主体設定）を有効にしておく。そして、主制御部２１においてシャットダウン処理が実行されているときに、入力部１３に対してユーザが行った入力操作（起動操作）によって実行情報（起動キー）を受信すると、操作主体設定（第１の操作主体設定）が有効となっていることを確認して、実行情報（起動キー）に基づく再起動処理を開始する。
【０１９４】
ここで例えば、終了処理の実行中に操作主体設定（第１の操作主体設定）を有効にせず、無効のままとしておくと、主制御部２１は、起動キーを受信した後、情報機器部１２からの実行指示（再起動処理を実行するための指示）を待つこととなる。しかしながら、情報機器部１２は、起動操作が行われた時点では電力供給が停止している状態のため、起動処理の開始から一定時間は、キー情報を受信しても処理を実行できず、実行指示を送信することができない。よって、主制御部２１は、情報機器部１２が実行指示を送信できる状態となるまで、再起動処理を実行することができない。
【０１９５】
つまり、終了処理の実行中に操作主体設定（第１の操作主体設定）を有効にしておくことで、主制御部２１は、起動キーを受信した後、速やかに起動処理（再起動処理）を実行することができる。これにより、ユーザの起動操作に対して速やかに応答することができる。
【０１９６】
また副制御部２２（実行情報生成部３１）は、主制御部２１への電力供給があるか否かを確認することで、起動キーを送信するか、または、通電を開始した後に起動モード通知を送信するかを決定している。また、主制御部２１（処理実行判定部４１）は、実行情報生成部３１から起動キーが送信されると、主制御部２１と情報機器部１２とが通電しているか否かを確認することなく、操作主体設定（第１の操作主体設定）が有効であるか否かを判定する。これは、シャットダウン処理中に第２の処理装置から送信された操作主体切替要求によって、操作主体設定が有効となった状態を維持するためである。
【０１９７】
一方、主制御部２１（処理実行判定部４１）は、実行情報生成部３１から起動モード通知（通常起動モード通知）が送信されると、主制御部２１と情報機器部１２とが通電しているか否かを確認する。つまり、主制御部は、実行情報生成部３１から送信された情報に応じて、起動処理の内容、具体的には、主制御部２１と情報機器部１２との通電を確認するか否かを決定する。
【０１９８】
〔実施形態４〕
本発明のさらに別の実施形態について、図１９〜図２２に基づいて説明すれば、以下のとおりである。なお、説明の便宜上、前記実施形態にて説明した部材と同じ機能を有する部材については、同じ符号を付記し、その説明を省略する。
【０１９９】
本実施形態では、テレビ１を起動中に、ユーザが、チャンネル設定や音声設定などのテレビ機能の設定を行う場合について説明する。ここで、テレビ機能の設定の流れについて説明する。図１９は、テレビ１における、テレビ画面と設定画面の切り替えを示す図である。
【０２００】
図１９に示すように、テレビ１が起動されているとき（テレビ画面が表示されているとき）に、例えばユーザがリモコンのメニューボタンを押下するなどの設定画面表示操作を行い、テレビ１に設定画面を表示させる。そして、ユーザは例えば、リモコンの上下左右ボタンや、決定ボタンを適宜押下する設定操作を行い、テレビ機能の設定を行う。そして、設定が完了すると、ユーザは例えばメニューボタンを押下する設定終了操作を行い、再びテレビ画面を表示させる。
【０２０１】
上述したテレビ機能の設定は、主制御部２１における特有の処理である。そのため、情報機器部１２から実行指示を送信してテレビ機能の設定を行うための処理を実行させることができない場合がある。つまり、主制御部２１は、情報機器部１２がテレビ機能の設定に関する実行指示を送信することが不可能であると判定し、テレビ機能の設定を行うためのキー情報（特有処理情報）、具体的には、設定画面を表示させるための設定画面表示キー、設定処理を実行させるための設定操作キー、および、設定画面の表示を終了させるための設定終了キーに基づく処理を、実行指示を受信することなく実行する必要がある。
【０２０２】
なお、本実施形態ではテレビ機能の設定処理を例に挙げて説明しているが、複数の処理装置を備える電子機器において、一方の装置における特有の処理であって、他方の装置から実行指示を送信できない処理を実行する場合に、本実施形態に係る発明を適用可能である。
【０２０３】
以下、テレビ機能の設定を行う場合の処理の流れについて説明する。図２０は、情報機器部１２が接続されている場合の設定画面表示処理の流れの一例を示すシーケンス図である。図２１は、情報機器部１２が接続されている場合の設定処理および設定終了処理の流れの一例を示すシーケンス図である。図２２は、情報機器部が接続されていない場合の設定画面表示処理、設定処理および設定終了処理の流れの一例を示すシーケンス図である。
【０２０４】
（情報機器部１２が接続されている場合のテレビ１における設定画面表示処理）
まず、図２０を参照して、情報機器部１２が接続されている場合のテレビ１における設定画面表示処理の流れを説明する。なお、設定画面表示処理とは、テレビ画面を設定画面に切り替える処理のことである。
【０２０５】
入力部１３に対してユーザが入力操作（設定画面表示操作）を行うと、実行情報生成部３１は、当該設定画面表示操作を特定して、処理実行判定部４１および処理実行判定部５２に実行情報として設定画面表示キーを送信する。処理実行判定部４１は、受信したキー情報を設定画面表示キーと特定する。そして、情報機器部１２が接続しているか否かを判定する。具体的には、処理実行判定部４１は、主制御部２１と情報機器部１２とが通電しているか否かを判定する。さらに具体的には、電流検知部６２から供給される検知信号が、「Ｈｉｇｈ」であるか「Ｌｏｗ」であるかを判定する。図２０の場合、情報機器部１２は接続されているので、電流検知部６２から供給される検知信号は「Ｈｉｇｈ」であり、当該「Ｈｉｇｈ」の検知信号を受信することで、情報機器部１２の接続を確認する。なお、情報機器部１２が接続しているか否かの判定は、テレビ１の起動時に既に行われているので、ここでの判定は省略してもよい。ただし、テレビ１の起動中に、情報機器部１２が故障するなどして、主制御部２１と情報機器部１２とが通電していない状態になる可能性があるため、設定画面表示キーを受信したときに改めて判定を行うことが好ましい。
【０２０６】
続いて、処理実行判定部４１および処理実行判定部５２は、操作主体設定が有効であるか否かを判定する。図２０の例の場合、主制御部２１および情報機器部１２は通常起動され、かつ、情報機器部１２が主制御部２１と接続されているので、主制御部２１における操作主体設定（第１の操作主体設定）は無効であり、情報機器部１２における操作主体設定（第２の操作主体設定）は有効であると判定される。しかしながら、情報機器部１２にとって設定画面表示キーは不明なキー情報（実行指示を送信することができないキー情報）であるため、処理実行判定部５２は、設定画面表示キーを破棄する。一方、処理実行判定部４１は、特定したキー情報が設定画面表示キーのような特有処理情報であった場合は、受信したキー情報を破棄せずに保持しておく。例えば、記憶部４４に一時的に記憶しておいてもよい。
【０２０７】
ここで、処理実行判定部４１は、設定画面表示キーに基づく処理（設定画面表示処理）を実行するために、まず、操作主体取得要求を処理実行判定部５２に送信する。なお、操作主体取得要求とは、当該操作主体取得要求を受信した装置（図２０の場合情報機器部１２）の操作主体設定を無効にするための情報である。
【０２０８】
処理実行判定部５２は、操作主体取得設定を受信すると、第２の操作主体設定を有効から無効に切り替える。そして、操作主体委譲通知を処理実行判定部４１に送信する。なお、操作主体委譲通知とは、自装置の操作主体設定を無効にしたことを通知するための情報である。
【０２０９】
処理実行判定部４１は、操作主体委譲通知を受信すると、第１の操作主体設定を無効から有効に切り替える。そして、保持しておいた設定画面表示キーに基づく処理の実行を、処理実行部４２に指示する。処理実行部４２は、処理実行判定部４１からの指示を受けると、記憶部４４に記憶されている設定画面を読み出し、表示部１６に表示させる（画面切替）。これにより、表示部１６に表示されているテレビ画面が設定画面に切り替わる。
【０２１０】
（情報機器部１２が接続されている場合のテレビ１における設定処理および設定終了処理）
次に、図２１を参照して、情報機器部１２が接続されている場合のテレビ１における設定処理および設定終了処理の流れを説明する。なお、設定処理とは、テレビ機能の設定の変更を実行する処理のことであり、設定終了処理とは、設定画面をテレビ画面に切り替える処理のことである。
【０２１１】
入力部１３に対してユーザが入力操作（設定操作）を行うと、実行情報生成部３１は、当該設定操作を特定して、処理実行判定部４１および処理実行判定部５２に実行情報として設定操作キーを送信する。
【０２１２】
続いて、処理実行判定部４１および処理実行判定部５２は、操作主体設定が有効であるか否かを判定する。上述した設定画面表示処理において、第１の操作主体設定は有効に、また、第２の操作主体設定は無効になっているので、処理実行判定部４１は、設定操作キーに基づく処理の実行を、処理実行部４２に指示する。処理実行部４２は、処理実行判定部４１からの指示を受けると、当該指示に基づく処理を実行する（例えば、音声設定をステレオからモノラルに変更するなど）。一方、処理実行判定部５２は、設定操作キーを破棄する。
【０２１３】
次に、入力部１３に対してユーザが入力操作（設定終了操作）を行うと、実行情報生成部３１は、当該設定終了操作を特定して、処理実行判定部４１および処理実行判定部５２に実行情報として設定終了キーを送信する。
【０２１４】
続いて、処理実行判定部４１および処理実行判定部５２は、操作主体設定が有効であるか否かを判定する。上述した設定画面表示処理において、第１の操作主体設定は有効に、また、第２の操作主体設定は無効になっているので、処理実行判定部５２は、設定終了キーを破棄する。
【０２１５】
一方、処理実行判定部４１は、第１の操作主体設定を有効から無効に切り替える。そして、第２の操作主体設定を通常の状態に戻すために、操作主体委譲通知を処理実行判定部５２に送信する。処理実行判定部５２は、操作主体委譲通知を受信すると、第２の操作主体設定を無効から有効に切り替える。そして、操作主体取得通知を処理実行判定部４１に送信する。なお、操作主体取得通知とは、自装置の操作主体設定を有効にしたことを通知するための情報である。
【０２１６】
また、処理実行判定部４１は、設定終了キーに基づく処理の実行を、処理実行部４２に指示する。処理実行部４２は、処理実行判定部４１からの指示を受けると、テレビ画面を表示部１６に表示させる。これにより、設定画面がテレビ画面に切り替わる。なお、図２１では、第１の操作主体設定を切り替えた後に、画面の切り替えを行っているが、処理実行判定部４１は、設定終了キーを受信後ただちに、設定終了キーに基づく処理の実行を処理実行部４２に指示してもよい。つまり、第１の操作主体設定を切り替える処理と、画面を切り替える処理とが並行して行われてもよい。
【０２１７】
（情報機器部１２が接続されている場合のテレビ１における設定画面表示処理から設定終了処理）
次に、図２２を参照して、情報機器部１２が接続されていない場合のテレビ１における設定画面表示処理から設定終了処理までの流れを説明する。
【０２１８】
入力部１３に対してユーザが入力操作（設定画面表示操作）を行うと、実行情報生成部３１は、当該設定画面表示操作を特定して、処理実行判定部４１および処理実行判定部５２に実行情報として設定画面表示キーを送信する。処理実行判定部４１は、受信したキー情報を設定画面表示キーと特定する。そして、情報機器部１２が接続しているか否かを判定する。具体的には、処理実行判定部４１は、主制御部２１と情報機器部１２とが通電しているか否かを判定する。さらに具体的には、電流検知部６２から供給される検知信号が、「Ｈｉｇｈ」であるか「Ｌｏｗ」であるかを判定する。図２２の場合、情報機器部１２は接続されていないので、電流検知部６２から送信される検知信号は「Ｌｏｗ」であり、処理実行判定部４１は、当該「Ｌｏｗ」の検知信号を受信することで、情報機器部１２が非接続であることを確認する。
【０２１９】
続いて、処理実行判定部４１は、第１の操作主体設定が有効であるか否かを判定して、無効である場合は、第１の操作主体設定を無効から有効に切り替える。なお、起動時から情報機器部１２が接続されていない場合は、起動時に第１の操作主体設定は既に有効となっている。この場合、すなわち第１の操作主体設定が有効であると判定された場合は、第１の操作主体設定を有効のまま維持する。
【０２２０】
そして、処理実行判定部４１は、設定画面表示キーに基づく処理の実行を、処理実行部４２に指示する。処理実行部４２は、処理実行判定部４１からの指示を受けると、記憶部４４に記憶されている設定画面を読み出し、表示部１６に表示させる（画面切替）。これにより、表示部１６に表示されているテレビ画面が設定画面に切り替わる。
【０２２１】
次に、入力部１３に対してユーザが入力操作（設定操作）を行うと、実行情報生成部３１は、当該設定操作を特定して、処理実行判定部４１に実行情報として設定操作キーを送信する。
【０２２２】
続いて、処理実行判定部４１は、操作主体設定が有効であるか否かを判定する。上述した設定画面表示処理において、第１の操作主体設定は有効になっているので、処理実行判定部４１は、設定操作キーに基づく処理の実行を、処理実行部４２に指示する。処理実行部４２は、処理実行判定部４１からの指示を受けると、当該指示に基づく処理を実行する（例えば、音声設定をステレオからモノラルに変更するなど）。
【０２２３】
次に、入力部１３に対してユーザが入力操作（設定終了操作）を行うと、実行情報生成部３１は、当該設定終了操作を特定して、処理実行判定部４１に実行情報として設定終了キーを送信する。
【０２２４】
続いて、処理実行判定部４１および処理実行判定部５２は、操作主体設定が有効であるか否かを判定する。上述した設定画面表示処理において、第１の操作主体設定は有効になっているので、処理実行判定部４１は、設定終了キーに基づく処理の実行を、処理実行部４２に指示する。処理実行部４２は、処理実行判定部４１からの指示を受けると、テレビ画面を表示部１６に表示させる。これにより、設定画面がテレビ画面に切り替わる。
【０２２５】
上述したように、情報機器部１２が接続されていない場合、主制御部２１は、情報機器部１２と情報の送受信を行うことで、操作主体設定を切り替える必要が無い。つまり、主制御部２１は、主制御部２１と情報機器部１２とが通電していないと判定すると、操作主体設定を有効にして、以降の処理をキー情報に基づいて実行する。
【０２２６】
（実施形態４に係るテレビ１の作用効果）
以上のように、本実施形態に係るテレビ１は、情報機器部１２が実行指示を送信できないような処理（例えば、テレビ機能の設定処理）を実行する場合において、第１の操作主体設定を有効にすることで、主制御部２１が、受信したキー情報に基づいて当該処理を実行できる状態とする。これにより、情報機器部１２が実行指示を送信できない処理であっても、主制御部２１に実行させることができる。
【０２２７】
〔実施形態５〕
テレビ１におけるテレビ機能部１１の制御ブロック（特に、副制御部２２における実行情報生成部３１および通電制御部３２、並びに、主制御部２１における処理実行判定部４１、処理実行部４２、および電力制御部４３）、および、情報機器部１２の制御ブロック（特に、電力制御部５１、処理実行判定部５２、処理実行部５３、および入力制御部５４）は、集積回路（ＩＣチップ）等に形成された論理回路（ハードウェア）によって実現してもよいし、ＣＰＵ（Central Processing Unit）を用いてソフトウェアによって実現してもよい。
【０２２８】
後者の場合、テレビ１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０２２９】
〔まとめ〕
本発明の態様１に係る電子機器（テレビ１）は、ユーザによる入力操作に基づく処理を実行するための実行指示を受信して処理を実行する第１の処理装置（主制御部２１）と、上記実行指示を上記第１の処理装置に送信する第２の処理装置（情報機器部１２）と、を備える電子機器であって、上記第１の処理装置は、上記第２の処理装置が上記実行指示を上記第１の処理装置に送信可能であるか否かを判定する送信判定手段（処理実行判定部４１）と、送信可能と判定されたとき、上記第１の処理装置を、上記実行指示を受信したとき処理を実行する状態とする一方、送信不可能と判定されたとき、上記第１の処理装置を、上記実行指示を受信することなく処理を実行する状態とする状態制御手段（処理実行判定部４１）と、を備える。
【０２３０】
上記の構成によれば、態様１に係る電子機器は、第２の処理装置が実行指示を第１の処理装置に送信可能である場合、第１の処理装置を、実行指示を受信したとき処理を実行する状態とし、送信不可能である場合、第１の処理装置を、実行指示を受信することなく処理を実行する状態とする。
【０２３１】
これにより、第１の処理装置は、第２の処理装置がどのような状態であるか、具体的には、第２の処理装置が第１の処理装置に実行指示を送信可能であるか否かを正しく認識することができる。そして、第１の処理装置は、第２の処理装置が実行指示を送信可能な状態であるとき、自装置を、実行指示を受信してから処理を実行する状態とするので、受信した実行指示に従って処理を実行することができる。また、第１の処理装置は、第２の処理装置が実行指示を送信不可能な状態であるとき、自装置を、実行指示を受信することなく処理を実行する状態とするので、第２の処理装置が実行指示を送信できない状態でも、処理を実行することができる。
【０２３２】
本発明の態様２に係る電子機器は、上記態様１において、上記第１の処理装置は、自装置が上記実行指示を受信することなく処理を実行する状態であることを示す操作主体設定（第１の操作主体設定）を記憶する記憶部（４４）をさらに備え、上記送信判定手段は、上記操作主体設定が有効でないとき、送信可能であると判定する一方、上記操作主体設定が有効であるとき、送信不可能であると判定してもよい。
【０２３３】
上記の構成によれば、電子機器は、記憶部に記憶されている操作主体設定が有効であるか否かを確認して、第１の処理装置が実行指示を受信して処理を実行するか、または、実行指示を受信することなく処理を実行するかを決定する。
【０２３４】
これにより、第１の処理装置は、記憶部に記憶されている操作主体設定を確認するだけで、第２の処理装置が実行指示を送信できない状態を正しく認識して、処理を実行することができる。なお、記憶部の操作主体設定は、初期値として無効と設定されていてもよい。これは、第１の処理装置は第２の処理装置から送信される実行指示を受信して処理を実行するためである。そして、第２の処理装置が実行指示を第１の処理装置に送信不可能であると判定されたとき、記憶部の操作主体設定は無効から有効に書き換えられてもよい。
【０２３５】
本発明の態様３に係る電子機器は、上記態様２において、上記送信判定手段は、上記操作主体設定に基づく判定に先だって、上記第１の処理装置と上記第２の処理装置との通電を検知し、上記通電を検知できなかったとき、送信不可能であると判定してもよい。
【０２３６】
上記の構成によれば、電子機器は、操作主体設定に基づく判定に先だって、第１の処理装置と第２の処理装置との通電を検知し、通電を検知できなかったとき、送信不可能であると判定する。
【０２３７】
第２の処理装置が接続されていない、または、接続されていても第２の処理装置が故障しているなどの場合、第２の処理装置は実行指示を第１の処理装置に送信することはできない。このとき、第１の処理装置と第２の処理装置との間には電流が流れない。つまり、第１の処理装置は、第１の処理装置と第２の処理装置との間に流れる電流が検知できるか否かで、実行指示を送信可能であるか否かを判定する。
【０２３８】
これにより、第２の処理装置が実行指示を送信できない状態を正しく認識して正しく操作主体設定を有効にすることができる。よって、第１の処理装置は、第２の処理装置が実行指示を送信できない場合でも処理を実行することができる。なお、第１の処理装置と第２の処理装置との通電を検知できなかったとき、記憶部の操作主体設定は無効から有効に書き換えられてもよい。
【０２３９】
本発明の態様４に係る電子機器は、上記態様２または３において、上記第２の処理装置は、上記操作主体設定を変更させるための設定変更情報を上記第１の処理装置に送信する送信手段（処理実行部５３）を備え、上記第１の処理装置は、上記設定変更情報を受信したとき、上記操作主体設定を変更する設定変更手段（処理実行判定部４１）をさらに備えてもよい。
【０２４０】
上記の構成によれば、第１の処理装置は、第２の処理装置から設定変更情報が送信された場合に操作主体情報を変更する。
【０２４１】
第２の処理装置が設定変更情報を送信するということは、第２の処理装置の状態、すなわち第２の処理装置が実行指示を送信できるか否かが変化したということである。
【０２４２】
つまり、第１の処理装置は設定変更情報を受信して操作主体情報を変更することで、第２の処理装置の状態に合わせて、処理を実行することができる。
【０２４３】
本発明の態様５に係る電子機器は、上記態様４において、上記送信手段は、上記第２の処理装置が上記実行指示を送信不可能となったときに、上記設定変更情報を送信してもよい。
【０２４４】
上記の構成によれば、第２の処理装置は実行指示を送信不可能となったときに、設定変更情報を第１の処理装置に送信する。
【０２４５】
これにより、第１の処理装置は、送信されない実行指示を待つことなく、処理を実行することができる。なお、無効となっている記憶部の操作主体設定は、設定変更情報を受信したとき、有効に書き換えられてもよい。
【０２４６】
例えば、ユーザが電子機器を終了させるための終了操作を行い、第１の処理装置および第２の処理装置が終了処理を実行すると、ある時点で、第２の処理装置は第１の処理装置に実行指示を送信することができなくなる。つまり、この時点の後に何らかの処理の実行を指示されても第２の処理装置は第１の処理装置に実行指示を送信できず、第１の処理装置は、操作主体設定が無効であれば実行指示を待つこととなるので、第１の処理装置は当該処理を実行することができない。
【０２４７】
よって、第２の処理装置は実行指示を送信不可能となったときに、設定変更情報を第１の処理装置に送信する。これにより、終了処理中において、実行指示を送信不可能となった後に何らかの処理の実行を指示されても、第１の処理装置は処理を実行することができる。
【０２４８】
本発明の態様６に係る電子機器は、上記態様４または５において、上記送信手段は、上記第２の処理装置が上記実行指示を送信可能となったときに、上記設定変更情報を送信してもよい。
【０２４９】
上記の構成によれば、第２の処理装置は実行指示を送信可能となったときに、設定変更情報を第１の処理装置に送信する。
【０２５０】
電子機器は、第１の処理装置と第２の処理装置が存在する場合、第１の処理装置は、第２の処理装置からの実行指示を受信して処理を実行する。つまり、第１の処理装置にとって、第２の処理装置が実行指示を送信不可能であるため、実行指示を受信することなく処理を実行する状態というのは、正常な状態ではない。
【０２５１】
よって、電子機器は、第２の処理装置が実行指示を送信可能となったときに、設定変更情報を第１の処理装置に送信する。これにより、第１の処理装置は、第２の処理装置が実行指示を送信可能となったときに、実行指示を待って処理を実行する状態に正しく移行することができ、第１の処理装置と第２の処理装置を正常な状態に戻すことができる。なお、有効となっている記憶部の操作主体設定は、設定変更情報を受信したとき、無効に書き換えられてもよい。
【０２５２】
本発明の態様７に係る電子機器は、上記態様１から６のいずれかにおいて、上記処理を開始するための実行情報を上記第１の処理装置および上記第２の処理装置に送信する第３の処理装置（副制御部２２）をさらに備え、上記送信判定手段は、上記第１の処理装置が上記実行情報を受信したとき、上記第２の処理装置が上記実行指示を上記第１の処理装置に送信可能であるか否かを判定してもよい。
【０２５３】
上記の構成によれば、第１の処理装置は、処理を実行するための実行情報を第３の処理装置から受信したときに、第２の処理装置が実行指示を第１の処理装置に送信可能であるか否かを判定する。
【０２５４】
つまり、ユーザが処理を実行するための操作を態様７に係る電子機器に対して行ったとき、第１の処理装置は第２の処理装置が実行指示を第１の処理装置に送信可能であるか否かを判定する。
【０２５５】
これにより、第２の処理装置が実行指示を送信不可能である場合でも、第１の処理装置が実行指示を待つことなく処理を実行する状態にすることができるので、ユーザの操作に対して迅速に応答することができる。
【０２５６】
本発明の態様８に係る電子機器は、上記態様７において、上記実行情報は、上記第１の処理装置および上記第２の処理装置を起動するための起動情報であり、上記第３の処理装置は、上記第２の処理装置に電力が供給されているか否かに応じた上記起動情報を送信してもよい。
【０２５７】
上記の構成によれば、第３の処理装置は、第２の処理装置に電力が供給されているか否かに応じた起動情報を、第２の処理装置に送信する。
【０２５８】
これにより、第２の処理装置は、自装置に電力が供給された状態からの起動処理か、または、自装置に電力が供給されていない状態からの起動処理かを適切に選択して、起動処理を実行することができる。
【０２５９】
本発明の態様９に係る電子機器は、上記態様７において、上記実行情報は、上記第１の処理装置における特有の処理を実行するための特有処理情報であり、上記送信判定手段は、上記第１の処理装置が上記特有処理情報を受信したとき、上記第２の処理装置が上記実行指示を上記第１の処理装置に送信不可能であると判定してもよい。
【０２６０】
上記の構成によれば、第１の処理装置特有の処理を実行するための実行情報を受信したとき、第１の処理装置は、第２の処理装置が実行指示を第１の処理装置に送信不可能であると判定する。これにより、第１の処理装置特有の処理を実行するための実行情報であるため、第２の処理装置が当該実行情報に基づいて実行指示を第１の処理装置に送信できない場合であっても、第１の処理装置が当該実行情報に基づいて処理を実行することができる。なお、第１の処理装置特有の処理とは、例えば、第１の処理装置の設定を行うための処理である。
【０２６１】
本発明の態様１０に係る電子機器は、上記態様１から９のいずれかにおいて、上記第２の処理装置は、上記電子機器から取り外し可能であってもよい。
【０２６２】
上記の構成によれば、第２の処理装置は電子機器から取り外された場合、第１の処理装置に第２の処理装置からの実行指示は送信されない。
【０２６３】
この場合に、第１の処理装置は実行指示を受信することなく処理を実行する状態となるので、第２の処理装置が取り外されていても処理を実行することができる。
【０２６４】
本発明の態様１１に係る電子機器の制御方法は、ユーザによる入力操作に基づく処理を実行するための実行指示を受信して処理を実行する第１の処理装置と、上記実行指示を上記第１の処理装置に送信する第２の処理装置と、を備える電子機器の制御方法であって、上記第２の処理装置が上記実行指示を上記第１の処理装置に送信可能であるか否かを判定する送信判定ステップ（Ｓ２３）と、送信可能と判定されたとき、上記第１の処理装置を、上記実行指示を受信したとき処理を実行する状態とし、送信不可能と判定されたとき、上記第１の処理装置を、上記実行指示を受信することなく処理を実行する状態とする状態制御ステップ（Ｓ２４、Ｓ３２）と、を含む。
【０２６５】
態様１１に係る作用効果は、態様１に係る作用効果と同様である。
【０２６６】
本発明の各態様に係る電子機器は、コンピュータによって実現してもよく、この場合には、コンピュータを上記電子機器が備える各手段として動作させることにより上記電子機器をコンピュータにて実現させる電子機器の制御プログラム、およびそれを記録したコンピュータ読み取り可能な記録媒体も、本発明の範疇に入る。
【０２６７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２６８】
本発明は、ユーザによる入力操作に基づく処理を実行するための実行指示を受信して処理を実行する第１の処理装置と、上記実行指示を上記第１の処理装置に送信する第２の処理装置とを備える電子機器に利用することができ、特に、従来のテレビ機能に加えて、拡張機能を有するテレビである、スマートテレビに好適である。
【符号の説明】
【０２６９】
１  テレビ（電子機器）
１２  情報機器部（第２の処理装置）
２１  主制御部（第１の処理装置）
２２  副制御部（第３の処理装置）
４１  処理実行判定部（送信判定手段、状態制御手段、設定決定手段、設定変更手段）
４４  記憶部
５３  処理実行部（送信手段）
Ｓ２３  送信判定ステップ
Ｓ２４  状態制御ステップ
Ｓ３２  状態制御ステップ
【図１】
2015192408.tif 000003
【図２】
2015192408.tif 000004
【図３】
2015192408.tif 000005
【図４】
2015192408.tif 000006
【図５】
2015192408.tif 000007
【図６】
2015192408.tif 000008
【図７】
2015192408.tif 000009
【図８】
2015192408.tif 000010
【図９】
2015192408.tif 000011
【図１０】
2015192408.tif 000012
【図１１】
2015192408.tif 000013
【図１２】
2015192408.tif 000014
【図１３】
2015192408.tif 000015
【図１４】
2015192408.tif 000016
【図１５】
2015192408.tif 000017
【図１６】
2015192408.tif 000018
【図１７】
2015192408.tif 000019
【図１８】
2015192408.tif 000020
【図１９】
2015192408.tif 000021
【図２０】
2015192408.tif 000022
【図２１】
2015192408.tif 000023
【図２２】
2015192408.tif 000024